(57)【要約】【課題】本発明では、電子装置を利用してデータ処理をする方法及び装置に関する多様な実施例について提供する。【解決手段】本発明の一実施例によれば、ユーザ入力を受け入れるためのページを表示する動作と、前記ユーザ入力に反応して前記ページ内に領域を表示する動作と、前記領域表示に反応して前記領域内にデータを表示する動作とを含むことができる。本発明は、前述した実施例を基盤として多様な他の実施例が可能である。【選択図】図３５
2014170551.tif 000002
【特許請求の範囲】
【請求項１】
電子装置を利用したデータ処理方法において、
ユーザ入力を受け入れるためのページを表示する動作と、
前記ユーザ入力に反応して前記ページ内に領域を表示する動作と、
前記領域の表示に反応して前記領域内にデータを表示する動作とを含む方法。
【請求項２】
前記データは、
前記電子装置に機能的に連結されているメモリに格納されているデータを含むことを特徴とする請求項１に記載の方法。
【請求項３】
前記データは、
ネットワークを通じて前記電子装置で受信されたデータを含むことを特徴とする請求項１に記載の方法。
【請求項４】
前記ユーザ入力は、
少なくとも１つのユーザジェスチャーを含むことを特徴とする請求項１に記載の方法。
【請求項５】
前記領域を表示する動作は、
前記ユーザジェスチャーによって決定された前記領域を特定の形態で自動調整する動作を含むことを特徴とする請求項４に記載の方法。
【請求項６】
前記領域を表示する動作は、
前記ユーザ入力に反応して前記データを獲得する動作を含むことを特徴とする請求項１に記載の方法。
【請求項７】
前記データを表示する動作は、
前記ユーザ入力に反応して前記領域内に表示された前記データを制御する動作を含むことを特徴とする請求項１に記載の方法。
【請求項８】
前記データを制御する動作は、
前記ページに対する入力を少なくとも一部制限する動作を含むことを特徴とする請求項７に記載の方法。
【請求項９】
前記データを制御する動作は、
前記データを制御する機能に対応する少なくとも１つのメニューを表示する動作を含むことを特徴とする請求項７に記載の方法。
【請求項１０】
前記データを表示する動作は、
前記ユーザ入力に対応して前記ページにデータを表示する動作を含むことを特徴とする請求項１に記載の方法。
【請求項１１】
前記データを表示する動作は、
前記ユーザ入力によって前記領域のサイズまたは位置のうち少なくとも１つを変更する動作を含むことを特徴とする請求項１に記載の方法。
【請求項１２】
前記データを表示する動作は、
前記領域の少なくとも一部に多数個のスタイラスのうち選択された１つのスタイラスまたはユーザ入力によるスタイラスのうち少なくとも１つを適用する動作を含むことを特徴とする請求項１に記載の方法。
【請求項１３】
前記領域を表示する動作は、
前記領域を少なくとも第１副領域と第２副領域とを含む多数個の副領域で表示する動作を含むことを特徴とする請求項１に記載の方法。
【請求項１４】
前記データは、少なくとも第１データと第２データとを含む多数個のデータで構成され、
前記データを表示する動作は、
前記第１データを前記第１副領域に表示し、前記第２データを前記第２副領域に表示する動作を含むことを特徴とする請求項１３に記載の方法。
【請求項１５】
前記データは、少なくとも第１データと第２データとを含む多数個のデータで構成され、
前記第１データを前記電子装置と機能的に連結された第１イメージセンサーまたは第２イメージセンサーのうち一番目のイメージセンサーから受信し、前記第２データを前記第１イメージセンサーまたは前記第２イメージセンサーのうち二番目のイメージセンサーから受信する動作を含むことを特徴とする請求項１に記載の方法。
【請求項１６】
前記領域は、多数個の副領域よりなり、前記多数個の副領域のうち１つの副領域が選択される場合、前記１つの副領域に表示されるデータを格納する動作を含むことを特徴とする請求項１に記載の方法。
【請求項１７】
電子装置において、
ユーザ入力を受け入れるためのページを表示するためのコンピュータによって実行されるページ表示モジュールと、
前記ユーザ入力に反応して前記ページ内に一定領域を表示するための、コンピュータによって実行される領域表示モジュールと、
前記一定領域表示に反応して前記一定領域内にデータを表示するための、コンピュータによって実行されるデータ表示モジュールと、を含む電子装置。
【請求項１８】
前記データ表示モジュールは、
前記ユーザ入力に反応して前記データを獲得するように設定されることを特徴とする請求項１７に記載の電子装置。
【請求項１９】
前記領域表示モジュールは、
前記ユーザ入力に反応して感知された点、線または図形のうち少なくとも１つの形態によって前記領域を表示するように設定されることを特徴とする請求項１７に記載の電子装置。
【請求項２０】
ユーザ入力を受け入れるためのページを表示する動作、前記ユーザ入力に反応して前記ページ内に領域を表示する動作、及び前記領域の表示に反応して前記領域内にデータを表示する動作を行うプログラムを格納したコンピュータで読み取り可能な記録媒体。
【発明の詳細な説明】
【技術分野】
【０００１】
本発明の多様な実施例は、電子装置を利用したデータ処理に関し、例えば、表示部上に表示されたページ（ｐａｇｅ）にデータを挿入または操作する方法及び装置に関する。
【背景技術】
【０００２】
最近、デジタル技術の発達に伴い、通信及び個人情報処理が可能な多様な電子装置（例えば、移動通信端末機、ＰＤＡ（Ｐｅｒｓｏｎａｌ  Ｄｉｇｉｔａｌ  Ａｓｓｉｓｔａｎｔ）、電子手帳、スマートフォン、タブレットパソコン（Ｐｅｒｓｏｎａｌ  Ｃｏｍｐｕｔｅｒ）など）が市販されている。このような電子装置は、各自の伝統的な固有領域にとどまらす、他の電子装置の領域まで含むモバイルコンバージェンス（ｍｏｂｉｌｅ  ｃｏｎｖｅｒｇｅｎｃｅ）段階に至っている。例えば、携帯端末は、音声通話及び映像通話などのような通話機能、ＳＭＳ（Ｓｈｏｒｔ  Ｍｅｓｓａｇｅ  Ｓｅｒｖｉｃｅ）／ＭＭＳ（Ｍｕｌｔｉｍｅｄｉａ  Ｍｅｓｓａｇｅ  Ｓｅｒｖｉｃｅ）及び電子メール（ｅ−ｍａｉｌ）などのようなメッセージ送受信機能、ナビゲーション機能、文書（例えば、メモ（ｍｅｍｏ）、オフィス（ｏｆｆｉｃｅ））作成機能、撮影機能、放送再生機能、メディア（動画及び音楽）再生機能、インターネット機能、メッセンジャー機能及びソーシャルネットワークサービス（ＳＮＳ、Ｓｏｃｉａｌ  Ｎｅｔｗｏｒｋｉｎｇ  Ｓｅｒｖｉｃｅ）機能などの多様な機能を具備することができる。
【０００３】
また、最近、タッチスクリーン（ｔｏｕｃｈ−ｓｃｒｅｅｎ）を装着した電子装置の普及が急速に増加している。したがって、前記タッチスクリーンの導入によって従来の入力手段による限界を低減し、ユーザに一層便利に電子装置の操作が可能にしている。そして、最近、タッチスクリーンを利用した入力操作の便宜性向上によって電子装置でオフィス、メモ、電子メール、メッセージなどのように編集が可能なページを表示部上に表示し、各種データ（例えば、テキスト、イメージ、写真など）を入力することができるアプリケーションの使用が増加している傾向にある。
【発明の概要】
【発明が解決しようとする課題】
【０００４】
ユーザは、アプリケーションのページで文書作成（例えば、編集）中に多様なデータを文書内に挿入しようとするとき、複雑な手続を行わなければならない煩雑がある。例えば、ユーザは、データがページ内でデータを挿入する領域選択、データが属するリスト呼出、リスト内でデータ選択、選択されたデータの編集（サイズ決定、切り出し、格納など）などのような様々な動作を行う場合にのみ、作成中の文書に当該データを挿入することができる。また、ユーザが多様なデータを文書内に挿入しようとするとき、現在作成中の文書画面から他の画面（例えば、挿入しようとするデータのリスト画面）への画面切り替えが行われることによって、作成中の文書の画面が遮られ、ユーザの視認性（ｖｉｓｉｂｉｌｉｔｙ）が劣化する不便さがある。
【０００５】
本発明の多様な実施例によれば、電子装置の編集が可能なページを表示し、当該ページを通じて各種データを入力することができるアプリケーションでデータ挿入または操作の便宜性を向上させることができる。
【０００６】
本発明の多様な実施例において電子装置は、本発明の多様な実施例による機能を支援するすべての情報通信機器、マルチメディア機器及びそれに対する応用機器のようにＡＰ（Ａｐｐｌｉｃａｔｉｏｎ  Ｐｒｏｃｅｓｓｏｒ）、ＧＰＵ（Ｇｒａｐｈｉｃ  Ｐｒｏｃｅｓｓｉｎｇ  Ｕｎｉｔ）、ＣＰＵ（Ｃｅｎｔｒａｌ  Ｐｒｏｃｅｓｓｉｎｇ  Ｕｎｉｔ）を使用するすべての電子装置を含むことができる。本発明の多様な実施例においてデータは、テキスト（ｔｅｘｔ）、イメージ（ｉｍａｇｅ）、写真（ｐｉｃｔｕｒｅ）、エモーティコン（ｅｍｏｔｉｃｏｎ）、地図データ（ｍａｐ  ｄａｔａ）、リスト、動画、オーディオデータなどのように電子装置の内部（ｉｎｔｅｒｎａｌ）または外部（ｅｘｔｅｒｎａｌ）から獲得して表示することができるすべての形態のデータを含むことができる。
【０００７】
本発明の多様な実施例では、ユーザが電子装置を利用した文書作成（編集）中のデータ挿入のために別途のアプリケーションを追加に運用した方式を１つのアプリケーション内で行うようにしてユーザの文書作成による便宜性を向上させることができる。
【０００８】
本発明の多様な実施例において文書作成（編集）機能を支援するアプリケーションは、メモ、オフィス、メッセージ、電子メールなどのように編集が可能なページを表示し、当該ページを通じて各種データを入力することができるアプリケーションを含むことができる。
【０００９】
本発明の多様な実施例では、電子装置で文書作成中にデータを挿入しようとするとき、内部（ｉｎｔｅｒｎａｌ）または外部（ｅｘｔｅｒｎａｌ）から獲得する各種データをユーザ入力によってページ内に生成された領域（例えば、ウィンドウ（ｗｉｎｄｏｗ））を通じて表示することができる。多様な実施例によれば、前記領域は、ユーザ入力によって感知された点、線、または図形のうち少なくとも１つの形態によってその形態（例えば、境界線）が構成することができる。
【００１０】
本発明の多様な実施例では、ユーザ入力によってページ内に生成された領域（例えば、ウィンドウ）を通じてデータが表示された状態で当該領域に対する操作及び領域内のデータに対する操作を支援することができる。
【００１１】
本発明の多様な実施例では、領域（例えば、ウィンドウ）を通じて表示されるデータのうちユーザによって選択される特定データを文書内にすぐ挿入して表示することができる。
【００１２】
本発明の多様な実施例では、アプリケーションのページに領域を表示するとき、ページに入力されたオブジェクトを基盤として内部または外部データを自動検索し、検索された内部データまたは外部データを前記領域を通じて表示することができる。
【００１３】
本発明の多様な実施例では、ユーザがアプリケーションで提供されるページを利用して文書作成中にデータを挿入しようとするとき、ページ画面の切り替えなしにユーザ入力によって生成する領域を通じて挿入しようとするデータを表示することができる。
【００１４】
本発明の多様な実施例では、電子装置でデータ挿入による文書作成に便宜性を向上するための環境を具現し、ユーザの便宜性及び電子装置の使用性を向上させることができる。
【課題を解決するための手段】
【００１５】
本発明の多様な実施例によれば、例えば、電子装置を利用したデータ処理方法において、ユーザ入力を受け入れるためのページを表示する動作と、前記ユーザ入力に反応して前記ページ内に領域（例えば、ウィンドウ）を表示する動作と、前記領域表示に反応して前記領域内にデータを表示する動作とを含むことができる。
【００１６】
本発明の多様な実施例によれば、例えば、電子装置において、ユーザ入力を受け入れるためのページを表示するためのコンピュータによって実行される（ｃｏｍｐｕｔｅｒ−ｉｍｐｌｅｍｅｎｔｅｄ）ページ表示モジュールと、前記ユーザ入力に反応して前記ページ内に領域を表示するためのコンピュータによって実行される領域表示モジュールと、前記領域表示に反応して前記領域内にデータを表示するためのコンピュータによって実行されるデータ表示モジュールとを含むことができる。
【００１７】
本発明の多様な実施例によれば、例えば、記録媒体において、ユーザ入力を受け入れるためのページを表示する動作と、前記ユーザ入力に反応して前記ページ内に領域を表示する動作と、前記領域表示に反応して前記領域内にデータを表示する動作とを行うプログラムを格納したコンピュータで読み取り可能な記録媒体を含むことができる。
【００１８】
前述したような内容は、当該分野における通常の知識を有する者が後述する本発明の多様な実施例に対する具体的な説明からよく理解することができるようにするために、本発明の特徴及び技術的な長所を多少広く記述したものである。このような特徴以外にも、本発明の請求範囲の主題を形成する本発明の追加的な特徴が後述する本発明の具体的な説明からよく理解することができる。
【発明の効果】
【００１９】
前述したように、本発明の多様な実施例において提案するページの一部領域を利用したデータ処理方法及び装置によれば、ユーザは、アプリケーションが提供する編集が可能なページで簡単なジェスチャー入力だけでも内部または外部データを一層簡便で且つ早く獲得することができる。そして、データが獲得されるとき、ページ画面の切り替えなしに前記ページの一部領域でユーザジェスチャーによって生成された領域（例えば、ウィンドウ）を通じて獲得されたデータをすぐ確認することができる。また、ユーザは、獲得されたデータに対してページ内の領域を通じて確認しながらそれに対する操作を行うことができ、挿入を決定するデータを文書作業中の当該ページ内に一層便利に挿入することができる。例えば、ユーザは、作成中の文書に多様なデータを挿入しようとするとき、当該データの選択及び挿入のために複雑に行わなければならなかった実行動作を省略することができる。また、例えば、１つのアプリケーションを利用してページ内にオブジェクト入力及びデータ挿入の使用が可能にすることによって、ユーザは、一層便利で且つ直観的に文書を作成することができる。
【００２０】
本発明の多様な実施例によれば、電子装置で編集が可能なページでデータ挿入による文書作成時にその便宜性を向上するための環境を具現することによって、ユーザの便宜性を向上させ、電子装置の使用性、便宜性及び競争力を向上させるのに寄与することができる。このような本発明の多様な実施例は、携帯電話（例えば、スマートフォンまたはタブレットパソコンなど）のような携帯用機器だけでなく、データ処理（例えば、表示）が可能な多様な電子装置及びそれに対応する多様なデバイスで具現することができる。
【図面の簡単な説明】
【００２１】
【図１】本発明の実施例による電子装置でページに挿入するデータを獲得する動作説明のために概略的に示す図である。
【図２】は、本発明の実施例による電子装置の構成を概略的に示す図である。
【図３】本発明の実施例による電子装置でページ内にデータを挿入する動作例示を示す図である。
【図４】本発明の実施例による電子装置でページ内にデータを挿入する動作例示を示す図である。
【図５】本発明の実施例による電子装置でページ内にデータを挿入する動作例示を示す図である。
【図６】本発明の実施例による電子装置でページ内にデータを挿入する動作例示を示す図である。
【図７】本発明の実施例による電子装置でページ内にデータを挿入する動作例示を示す図である。
【図８】本発明の実施例による電子装置でページ内にデータを挿入する動作例示を示す図である。
【図９】本発明の実施例による電子装置でページ内にデータを挿入する動作例示を示す図である。
【図１０】本発明の実施例による電子装置でページ内のオブジェクトを利用してデータを検索及び表示する動作例示を示す図である。
【図１１】本発明の実施例による電子装置でページ内のオブジェクトを利用してデータを検索及び表示する動作例示を示す図である。
【図１２】本発明の実施例による電子装置でページ内のオブジェクトを利用してデータを検索及び表示する動作例示を示す図である。
【図１３】本発明の実施例による電子装置でページ内に撮影データを挿入する動作例示を示す図である。
【図１４】本発明の実施例による電子装置でページ内に撮影データを挿入する動作例示を示す図である。
【図１５】本発明の実施例による電子装置でページ内に撮影データを挿入する動作例示を示す図である。
【図１６】本発明の実施例による電子装置でページ内に撮影データを挿入する動作例示を示す図である。
【図１７】本発明の実施例による電子装置でページ内に撮影データを挿入する動作例示を示す図である。
【図１８】本発明の実施例による電子装置でページ内に撮影データを挿入する動作例示を示す図である。
【図１９】本発明の実施例による電子装置でアプリケーションを利用した文書作成の動作例示を示す図である。
【図２０】本発明の実施例による電子装置でアプリケーションを利用した文書作成の動作例示を示す図である。
【図２１】本発明の実施例による電子装置でページ内の領域を通じてデータに対するオプションを調節する動作例示を示す図である。
【図２２】本発明の実施例による電子装置でページ内の領域を移動する動作例示を示す図である。
【図２３】本発明の実施例による電子装置でページ内の領域を移動する動作例示を示す図である。
【図２４】本発明の実施例による電子装置でページ内の領域を調節する動作例示を示す図である。
【図２５】本発明の実施例による電子装置でページ内の領域を調節する動作例示を示す図である。
【図２６】本発明の実施例による電子装置でページ内の領域を調節する動作例示を示す図である。
【図２７】本発明の実施例による電子装置で領域を通じて表示されるデータをスクロールする動作例示を示す図である。
【図２８】本発明の実施例による電子装置で領域を通じて表示されるデータをスクロールする動作例示を示す図である。
【図２９】本発明の実施例による電子装置で領域を通じて表示されるデータをスクロールする動作例示を示す図である。
【図３０】本発明の実施例による電子装置でページ内の領域を具現する動作例示を示す図である。
【図３１】本発明の実施例による電子装置でページ内の領域を具現する動作例示を示す図である。
【図３２】本発明の実施例による電子装置でページ内の領域を具現する動作例示を示す図である。
【図３３】本発明の実施例による電子装置でページ内の領域を具現する動作例示を示す図である。
【図３４】本発明の実施例による電子装置でページ内の領域を具現する動作例示を示す図である。
【図３５】本発明の実施例による電子装置でページの一部領域を利用したデータ処理方法を示す流れ図である。
【図３６】本発明の実施例による電子装置でページ内に領域を生成する方法を示す流れ図である。
【図３７】本発明の実施例による電子装置でページ内にデータを挿入する方法を示す流れ図である。
【図３８】本発明の実施例による電子装置でページ内の領域を利用したデータ処理方法を示す流れ図である。
【図３９】本発明の実施例による電子装置でデータを獲得して領域に表示する方法を示す流れ図である。
【図４０】本発明の実施例による電子装置でデータを獲得して領域に表示する方法を示す流れ図である。
【図４１】本発明の実施例による電子装置で領域を複数個の副領域に分割して動作する例示を示す図である。
【図４２】本発明の実施例による電子装置で領域を複数個の副領域に分割して動作する例示を示す図である。
【図４３】本発明の実施例による電子装置で領域を複数個の副領域に分割して動作する例示を示す図である。
【図４４】本発明の実施例による電子装置で領域を複数個の副領域に分割して動作する例示を示す図である。
【図４５】本発明の実施例による電子装置で領域を複数個の副領域に分割して動作する例示を示す図である。
【図４６】本発明の実施例による電子装置でページ内に複数個のデータが挿入される例示を示す図である。
【図４７】本発明の実施例による電子装置で動的イメージ基盤のデータがページ内に挿入された場合の動作例示を示す図である。
【図４８】本発明の実施例による電子装置で動的イメージ基盤のデータがページ内に挿入された場合の動作例示を示す図である。
【図４９】本発明の実施例による電子装置で動的イメージ基盤のデータがページ内に挿入された場合の動作例示を示す図である。
【発明を実施するための形態】
【００２２】
以下、添付の図面を参照して本発明の多様な実施例を詳しく説明する。この際、添付の図面において同一の構成要素は、できるだけ同一の符号で示していることに留意しなければならない。また、本発明の要旨を不明にすることができる公知機能及び構成に対する詳細な説明を省略する。下記の説明では、本発明の多様な実施例による動作を理解するのに必要な部分だけが説明され、その他の部分の説明は、本発明の要旨を不明にしないように省略されることを留意しなければならない。
【００２３】
本発明は、電子装置及びその文書作成支援方法に関する。特に、本発明の多様な実施例では、編集が可能なページを表示し、前記ページを通じて各種データ（例えば、テキスト、イメージ、写真、動画など）を入力することができるアプリケーションを利用した文書作成時に入力されるデータの処理方法及びその装置を提案する。
【００２４】
本発明の多様な実施例によれば、電子装置で前記アプリケーションを利用した文書作成時に内部データ（ｉｎｔｅｒｎａｌ  ｄａｔａ）または外部データ（ｅｘｔｅｒｎａｌ  ｄａｔａ）を一層簡便で且つ直観的に文書作成中のページに挿入することができる方法及び装置に関して開示する。例えば、本発明の多様な実施例によれば、電子装置でアプリケーションによる文書作成中にユーザのジェスチャー入力によってページ内にデータ表示のための領域（例えば、ウィンドウ（ｗｉｎｄｏｗ））を提供し、前記領域を通じて表示されたデータの選択に応答して前記ページ内に選択されたデータをすぐ挿入することができる。本発明の多様な実施例によれば、前記領域を生成するとき、データを獲得する方式に従って電子装置の内部または電子装置の外部から多様なデータを獲得することができ、獲得されたデータをページ内に生成された領域を通じてプレビュー形態で表示することができる。
【００２５】
本発明の多様な実施例で前記アプリケーションは、オフィス（ｏｆｆｉｃｅ）、メモ（ｍｅｍｏ）、電子メール（ｅ−ｍａｉｌ）、メッセージ（ｍｅｓｓａｇｅ）、旅行記録などの機能のように文書（テキスト及びイメージ基盤）を作成することができるすべての形態のアプリケーションを含むことができる。本発明の多様な実施例で前記アプリケーションは、編集が可能なページを提供し、前記ページを通じて各種データを入力することができる多様な種類のアプリケーションを含むことができる。
【００２６】
本発明の多様な実施例で前記データは、イメージ（ｉｍａｇｅ）、写真（ｐｉｃｔｕｒｅ）、エモーティコン（ｅｍｏｔｉｃｏｎ）、地図データ（ｍａｐ  ｄａｔａ）、ＲＳＳ（Ｒｉｃｈ  Ｓｉｔｅ  ＳｕｍｍａｒｙまたはＲｅａｌｌｙ  Ｓｉｍｐｌｅ  Ｓｙｎｄｉｃａｔｉｏｎ）フィード（ｆｅｅｄ）などを含むことができ、本発明の実施例では、ページ内に挿入することができるすべての形態のデータフォーマット（ｆｏｒｍａｔ）を含むことができる。本発明の多様な実施例で前記データは、内部データと外部データに区分することができ、前記内部データは、電子装置内に格納されたデータまたは電子装置で撮影を通じて獲得するデータを含むことができ、前記外部データは、電子装置の外部から獲得するデータを含むことができる。また、本発明の多様な実施例で前記データは、電子装置の内部または外部から獲得される静的イメージ及び動的イメージを含むことができる。
【００２７】
本発明の多様な実施例で前記電子装置の外部は、前記電子装置が有線または無線のネットワーク（ｎｅｔｗｏｒｋ）を通じて連結可能なサーバー（ｓｅｒｖｅｒ）、クラウド（ｃｌｏｕｄ）、または他の電子装置などを示すことができる。本発明の多様な実施例で前記外部データは、前記電子装置の外部から獲得されるすべての形態のデータを示すことができる。また、本発明の多様な実施例で前記電子装置の内部は、前記電子装置内に具現された多様な構成（例えば、格納部、イメージセンサーなど）を示すことができる。本発明の多様な実施例で前記内部データは、前記電子装置の内部から獲得されるすべての形態のデータを示すことができる。
【００２８】
本発明の多様な実施例でデータは、前記電子装置に内部または外部で機能的に連結されているメモリ（ｍｅｍｏｒｙ）に格納されたデータを含むことができる。前記機能的に連結されているメモリは、前記電子装置内に構成された格納部または前記電子装置内に与えられたインターフェース（ｉｎｔｅｒｆａｃｅ）を通じて装着される外部格納媒体などを含むことができる。また、前記機能的に連結されているメモリは、前述した例示で説明したように、前記電子装置が有線または無線のネットワークを通じて連結可能なサーバー、クラウド、または他の電子装置自体を含むことができ、またはそれらの格納部またはデータベース（ｄａｔａｂａｓｅ）を含むこともできる。
【００２９】
図１は、本発明の実施例による電子装置でページに挿入するデータを獲得する動作説明のために概略的に示す図である。
【００３０】
図１を参照すれば、図１は、電子装置１００でアプリケーションが実行され、前記アプリケーションのページ内にユーザのジェスチャーに対応するように生成された領域６００（例えば、ウィンドウ）が表示されている状態を示すことができる。本発明の実施例で前記領域６００は、実行されたアプリケーションに対応するユーザインターフェース（ＵＩ、Ｕｓｅｒ  Ｉｎｔｅｒｆａｃｅ）またはグラフィックユーザインターフェース（ＧＵＩ、Ｇｒａｐｈｉｃａｌ  ＵＩ）を有するページ内で具現することができ、前記ページ内でユーザのジェスチャーがドローイング（ｄｒａｗｉｎｇ）される形状及びサイズに対応するように生成され、電子装置１００の内部または外部から獲得されたデータをプレビュー形態で表示することができる。前記領域６００は、前記ページが表示されるレイヤ（ｌａｙｅｒ）とは別途のレイヤで構成することができ、前記ページが表示されるレイヤにオーバレイ（ｏｖｅｒｌａｙ）で提供することができる。
【００３１】
図１に示されたように、本発明の多様な実施例による内部データは、前記電子装置１００に装着された格納部１５０から獲得することができる。そして、前記領域６００を通じてプレビューで表示される前記内部データは、前記格納部１５０に格納されたすべてのデータであってもよく、ユーザの検索語に対応して抽出（検索）される一部のデータであってもよい。また、本発明の多様な実施例による内部データは、前記電子装置１００に装着されたカメラモジュール１７０による撮影から獲得することができる。前記領域６００を通じてプレビューで表示される前記内部データは、前記カメラモジュール１７０を通じて撮影されるデータであることが可能である。
【００３２】
前記外部データは、前記電子装置１００がネットワーク４００を通じて接続（連結）するサーバー４１０、クラウド４２０または他の電子装置４３０から獲得することができる。前記外部データは、前記電子装置１００がネットワーク４００を通じて接続する特定サーバー４１０）（例えば、統合サーバー（ｉｎｔｅｇｒａｔｉｏｎ  ｓｅｒｖｅｒ）、コンテンツサーバー（ｃｏｎｔｅｎｔ  ｓｅｒｖｅｒ）、プロバイダーサーバー（ｐｒｏｖｉｄｅｒ  ｓｅｒｖｅｒ）、インターネットサーバー（ｉｎｔｅｒｎｅｔ  ｓｅｒｖｅｒ）など）からダウンロード（ｄｏｗｎｌｏａｄ）することができる。また、前記外部データは、前記電子装置１００がネットワーク４００を通じて接続するユーザと関連したクラウド４２０からダウンロードすることができる。また、前記外部データは、前記電子装置１００がネットワーク４００を通じて連結する他の電子装置４３０から受信することができる。
【００３３】
そして、前記領域６００を通じてプレビューで表示される前記外部データは、ユーザによって入力された検索語を基盤としてサーバー４１０、クラウド４２０または他の電子装置４３０で検索されて獲得される一部のデータであってもよい。または前記領域６００を通じてプレビューで表示される前記外部データは、ユーザによる検索語がないとき、サーバー４１０、クラウド４２０、または他の電子装置４３０で獲得可能なモードデータであってもよい。以下では、本発明の説明の便宜のために、前記サーバー４１０、前記クラウド４２０、及び前記他の電子装置４３０を総称して外部サーバー（または外部メモリ）と称することにする。また、図１では示していないが、前記外部サーバーは、個人用コンピュータ（ＰＣ、Ｐｅｒｓｏｎａｌ  Ｃｏｍｐｕｔｅｒ）、ノート・パソコン（Ｎｏｔｅｂｏｏｋ  ＰＣ）などをさらに含むことができる。
【００３４】
本発明の多様な実施例で前記ネットワーク４００は、有線通信（例えば、ＵＳＢ（Ｕｎｉｖｅｒｓａｌ  Ｓｅｒｉａｌ  Ｂｕｓ）通信、データケーブル（ｄａｔａ  ｃａｂｌｅ）通信など）を基盤とするネットワーク及び無線通信（例えば、近距離通信、移動通信、無線ＬＡＮ（ＷＬＡＮ、Ｗｉｒｅｌｅｓｓ  Ｌｏｃａｌ  Ａｒｅａ  Ｎｅｔｗｏｒｋ）通信など）を基盤とするネットワークを含むことができる。
【００３５】
以下では、本発明の多様な実施例による電子装置１００の構成とその運用制御方法について下記図面を参照して説明する。本発明の実施例による電子装置１００の構成とその運用制御方法が下記で記述する内容に制限されるかまたは限定されるものではないので、下記の実施例に基づいて多様な実施例に適用することができることに留意しなければならない。
【００３６】
図２は、本発明の実施例による電子装置１００の構成を概略的に示す図である。
【００３７】
図２を参照すれば、本発明の電子装置１００は、無線通信部１１０、ユーザ入力部１２０、タッチスクリーン１３０、オーディオ処理部１４０、格納部１５０、インターフェース部１６０、カメラモジュール１７０、制御部１８０、及び電源供給部１９０を含んで構成することができる。多様な実施例によれば、本発明の電子装置１００は、図２に示された構成要素より多い構成要素を有するか、またはそれより少ない構成要素を有するもので具現することができる。例えば、本発明の実施例による電子装置１００が放送受信及び再生機能を支援しない場合、一部のモジュール、例えば、前記無線通信部１１０の放送受信モジュール１１９の構成は、省略することもできる。
【００３８】
前記無線通信部１１０は、電子装置１００と無線通信システムとの間または電子装置１００と他の電子装置４３０との間の無線通信を可能にする１つ以上のモジュールを含むことができる。例えば、無線通信部１１０は、移動通信モジュール１１１、無線ＬＡＮモジュール１１３、近距離通信モジュール１１５、位置算出モジュール１１７、及び放送受信モジュール１１９などを含んで構成することができる。
【００３９】
移動通信モジュール１１１は、移動通信ネットワーク上で基地局、外部の端末、そして多様なサーバー（例えば、統合サーバー、プロバイダーサーバー、コンテンツサーバー、インターネットサーバー、クラウドサーバーなど）のうち少なくとも１つと無線信号を送受信することができる。前記無線信号は、音声通話信号、画像通話信号または文字／マルチメディアメッセージ送受信による多様な形態のデータを含むことができる。本発明の多様な実施例で前記無線信号は、多様なサーバーから受信されるイメージ、写真、エモーティコン、地図データ、ＲＳＳフィードなどの外部データを含むことができる。また、移動通信モジュール１１１は、多様なサーバーと移動通信が連結されるとき、ユーザの検索語による外部データを受信することができる。
【００４０】
無線ＬＡＮモジュール１１３は、無線インターネット接続及び他の電子装置４３０と無線ＬＡＮリンク（ｌｉｎｋ）を形成するためのモジュールを示すもので、電子装置１００に内蔵されるか、または外装することができる。無線インターネット技術としては、無線ＬＡＮ（Ｗｉ−Ｆｉ）、Ｗｉｂｒｏ（Ｗｉｒｅｌｅｓｓ  ｂｒｏａｄｂａｎｄ）、Ｗｉｍａｘ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、そしてＨＳＤＰＡ（Ｈｉｇｈ  Ｓｐｅｅｄ  Ｄｏｗｎｌｉｎｋ  Ｐａｃｋｅｔ  Ａｃｃｅｓｓ）などが利用することができる。無線ランモジュール１１３は、他の電子装置４３０と無線ＬＡＮリンクが形成されるとき、ユーザ選択による多様なデータを他の電子装置４３０に伝送するか、または外部データを受信することができる。また、無線ＬＡＮモジュール１１３は、多様なサーバーと無線ＬＡＮ通信が連結されるとき、ユーザの検索語による外部データを受信することができる。
【００４１】
近距離通信モジュール１１５は、近距離通信（ｓｈｏｒｔ  ｒａｎｇｅ  ｃｏｍｍｕｎｉｃａｔｉｏｎ）のためのモジュールを示す。近距離通信技術としてブルートゥース（Ｂｌｕｅｔｏｏｔｈ（登録商標））、ブルートゥース低エネルギー（ＢＬＥ、Ｂｌｕｅｔｏｏｔｈ（登録商標）  Ｌｏｗ  Ｅｎｅｒｇｙ）、ＲＦＩＤ（Ｒａｄｉｏ  Ｆｒｅｑｕｅｎｃｙ  Ｉｄｅｎｔｉｆｉｃａｔｉｏｎ）、赤外線通信（ＩｒＤＡ、Ｉｎｆｒａｒｅｄ  Ｄａｔａ  Ａｓｓｏｃｉａｔｉｏｎ）、ＵＷＢ（Ｕｌｔｒａ  Ｗｉｄｅｂａｎｄ）、ジグビー（ＺｉｇＢｅｅ）、及びＮＦＣ（Ｎｅａｒ  Ｆｉｅｌｄ  Ｃｏｍｍｕｎｉｃａｔｉｏｎ）などが利用することができる。また、近距離通信モジュール１１５は、他の電子装置４３０と近距離通信が連結されるとき、ユーザ選択によるデータを他の電子装置４３０に伝送するか、または外部データを受信することができる。このような近距離通信モジュール１１５は、常時オン（Ｏｎ）状態を維持するか、またはユーザ設定または入力によってターン−オン（ｔｕｒｎ−ｏｎ）することができる。
【００４２】
位置算出モジュール１１７は、電子装置１００の位置を獲得するためのモジュールであって、代表的な例としては、ＧＰＳ（Ｇｌｏｂａｌ  Ｐｏｓｉｔｉｏｎ  Ｓｙｓｔｅｍ）モジュールがある。位置算出モジュール１１７は、３個以上の基地局から離れた距離情報と正確な時間情報を算出した後、前記算出された情報に三角法を適用することによって、緯度（ｌａｔｉｔｕｄｅ）、経度（ｌｏｎｇｉｔｕｄｅ）、及び高度（ａｌｔｉｔｕｄｅ）による３次元の現位置情報を算出することができる。または、位置算出モジュール１１７は、３個以上の衛星から電子装置１００の位置情報をリアルタイムで続いて受信することによって、位置情報を算出することができる。電子装置１００の位置情報は、多様な方法によって獲得することができる。
【００４３】
放送受信モジュール１１９は、放送チャネル（例えば、衛星放送チャネル、地上波放送チャネルなど）を通じて外部の放送管理サーバーから放送信号（例えば、テレビ放送信号、ラジオ放送信号、データ放送信号など）及び／または前記放送と関連した情報（例えば、放送チャネル、放送番組または放送サービス提供者に関連した情報など）を受信することができる。
【００４４】
ユーザ入力部１２０は、電子装置１００の動作制御のための入力データをユーザ入力に対応して発生させることができる。ユーザ入力部１２０は、キーパッド（ｋｅｙ  ｐａｄ）、ドームスイッチ（ｄｏｍｅ  ｓｗｉｔｃｈ）、タッチパッド（静圧／静電）、ゾグホイール（ｊｏｇ  ｗｈｅｅｌ）、ゾグスイッチ（ｊｏｇ  ｓｗｉｔｃｈ）、センサー（例えば、音声センサー、近接センサー、照度センサー、加速度センサー、ジャイロセンサーなど）などを含んで構成することができる。また、ユーザ入力部１２０は、電子装置１００の外部にボタン形態で具現することができ、一部のボタンは、タッチパネル（ｔｏｕｃｈ  ｐａｎｅｌ）で具現することもできる。ユーザ入力部１２０は、本発明のページ編集が可能なアプリケーションで領域６００を通じて表示される内部データまたは外部データを作成中の文書のページに挿入するためのユーザ入力を受信し、前記ユーザ入力が受信されるとき、それによる入力信号を発生させることができる。
【００４５】
タッチスクリーン１３０は、入力機能と表示機能を同時に行う入出力手段であって、表示部１３１とタッチ感知部１３３を含むことができる。特に、本発明の実施例でタッチスクリーン１３０は、前記表示部１３１を通じて電子装置１００の運用による画面（例えば、アプリケーションの実行画面（例えば、ページ画面）、通話発信のための画面、メッセンジャー画面、ゲーム画面、ギャラリー画面など）表示中に、前記タッチ感知部１３３によるユーザのタッチイベントが入力されれば、前記タッチイベントによる入力信号を前記制御部１８０に伝達することができる。それから、制御部１８０は、後述するように、前記タッチイベントを区分し、タッチイベントによる動作実行を制御することができる。
【００４６】
表示部１３１は、電子装置１００で処理される情報を表示（出力）できる。例えば、電子装置１００が通話モードの場合、通話と関連したＵＩまたはＧＵＩを表示することができる。また、表示部１３１は、電子装置１００が画像通話モードまたは撮影モードの場合には、撮影または／及び受信された映像またはＵＩ、ＧＵＩを表示することができる。特に、表示部１３１は、アプリケーションに対応する実行画面（例えば、ユーザが作成中の文書のページ画面）を表示し、前記ページが表示される画面内にユーザによって生成される領域６００を表示することができる。表示部１３１は、電子装置１００が内部または外部から獲得するデータ（内部データまたは外部データ）を前記ページ内の領域６００を通じて表示することができる。表示部１３１は、前記領域６００を通じて表示されたデータのうちユーザから特定データが選択されるとき、選択された特定データが作成中の文書のページ内に挿入されたページ画面を表示することができる。表示部１３１は、ユーザのスクロール制御イベントに対応するように前記領域６００を通じて表示されるデータが変化（切り替え）するスクロール動作画面を表示することができる。また、表示部１３１は、電子装置１００がカメラモジュール１７０を利用した撮影動作によってデータを獲得する方式で前記カメラモジュール１７０を通じて獲得するデータ（例えば、プレビューイメージ）を前記ページ内の領域６００を通じてリアルタイムで表示することができる。また、表示部１３１は、電子装置１００の回転方向（または配置される方向）によって横モードによる画面表示、縦モードによる画面表示及び横モードと縦モード間の変化による画面切り替え表示を支援することができる。
【００４７】
表示部１３１は、液晶ディスプレイ（ＬＣＤ、Ｌｉｑｕｉｄ  Ｃｒｙｓｔａｌ  Ｄｉｓｐｌａｙ）、薄膜トランジスタ液晶ディスプレイ（ＴＦＴ  ＬＣＤ、Ｔｈｉｎ  Ｆｉｌｍ  Ｔｒａｎｓｉｓｔｏｒ−ＬＣＤ）、発光ダイオード（ＬＥＤ、Ｌｉｇｈｔ  Ｅｍｉｔｔｉｎｇ  Ｄｉｏｄｅ）、有機発光ダイオード（ＯＬＥＤ、Ｏｒｇａｎｉｃ  ＬＥＤ）、能動型ＯＬＥＤ（ＡＭＯＬＥＤ、Ａｃｔｉｖｅ  Ｍａｔｒｉｘ  ＯＬＥＤ）、フレキシブルディスプレイ（ｆｌｅｘｉｂｌｅ  ｄｉｓｐｌａｙ）、曲面ディスプレイ（ｂｅｎｄｅｄ  ｄｉｓｐｌａｙ）、そして３次元ディスプレイ（３Ｄ  ｄｉｓｐｌａｙ）のうち少なくとも１つを含むことができる。これらのうち一部のディスプレイは、外部が見られるように透明型または光透明型で構成される透明ディスプレイ（ｔｒａｎｓｐａｒｅｎｔ  ｄｉｓｐｌａｙ）で具現することができる。
【００４８】
タッチ感知部１３３は、前記表示部１３１に配設することができ、前記タッチスクリーン１３０の表面に接触するユーザのタッチイベント（例えば、シングルタッチイベント、マルチタッチイベント、タッチ基盤のジェスチャーイベント、領域生成イベント、撮影イベント、データ挿入イベントなど）を感知することができる。タッチ感知部１３３は、前記タッチスクリーン１３０の表面にユーザのタッチイベントを感知するとき、前記タッチイベントが発生する座標を検出し、検出された座標を前記制御部１８０に伝送することができる。タッチ感知部１３３は、ユーザによって発生するタッチイベントを感知し、感知されたタッチイベントによる信号を生成し、前記制御部１８０に伝送することができる。制御部１８０は、前記タッチ感知部１３３で伝送される信号によってタッチイベントが発生した領域に該当する機能を行うことができる。
【００４９】
このようなタッチ感知部１３３は、表示部１３１の特定部位に加えられた圧力または表示部１３１の特定部位に発生する静電容量などの変化を電気的な入力信号に変換するように構成することができる。タッチ感知部１３３は、タッチされる位置及び面積だけでなく、適用したタッチ方式に従ってタッチ時の圧力までも検出することができるように構成することができる。タッチ感知部１３３に対するタッチ入力がある場合、それに対応する信号は、タッチ制御機（図示せず）に伝達することができる。タッチ制御機（図示せず）は、その信号を処理した後、対応するデータを制御部１８０に伝送することができる。これにより、制御部１８０は、タッチスクリーン１３０のどの領域がタッチされたか否かなどを把握することができる。
【００５０】
オーディオ処理部１４０は、制御部１８０から入力されたオーディオ信号をスピーカー（ＳＰＫ、ｓｐｅａｋｅｒ）１４１に伝送し、マイク（ＭＩＣ、ｍｉｃｒｏｐｈｏｎｅ）１４３から入力された音声などのオーディオ信号を制御部１８０に伝達する機能を行うことができる。オーディオ処理部１４０は、音声／音響データを制御部１８０の制御によってスピーカー１４１を通じて可聴音に変換して出力し、マイク１４３から受信される音声などのオーディオ信号をデジタル信号に変換し、制御部１８０に伝達することができる。
【００５１】
スピーカー１４１は、通話モード、文書作成モード、メッセンジャーモード、録音（録画）モード、音声認識モード、放送受信モード、メディアコンテンツ（音楽ファイル、動画ファイル）再生モード、及び撮影モードなどで無線通信部１１０から受信されるか、または格納部１５０に格納されたオーディオデータを出力することができる。スピーカー１４１は、電子装置１００で行われる機能（例えば、通話連結受信、通話連結発信、データ挿入、撮影、メディアコンテンツ再生など）と関連した音響信号を出力することもできる。
【００５２】
マイク１４３は、通話モード、文書作成モード、メッセージモード、メッセンジャーモード、録音（録画）モード、音声認識モード、及び撮影モードなどで外部の音響信号を入力されて電気的な音声データで処理することができる。処理された音声データは、通話モードの場合、移動通信モジュール１１１を通じて移動通信基地局に送信可能な形態に変換されて出力することができる。マイク１４３には、外部の音響信号を入力される過程で発生するノイズ（ｎｏｉｓｅ）を除去するための多様なノイズ除去アルゴリズムが具現することができる。
【００５３】
格納部１５０は、制御部１８０の処理及び制御のためのプログラム（ｐｒｏｇｒａｍ）を格納することもでき、入出力されるデータ（例えば、内部データ、外部データ、コンタクト（ｃｏｎｔａｃｔ）情報、文書データ、撮影データ、メッセージ、チャットデータ、メディアコンテンツ（例えば、オーディオ、動画、イメージ）など）の一時格納のための機能を行うこともできる。格納部１５０には、電子装置１００の機能運用による使用頻度（例えば、アプリケーション使用頻度、データ使用頻度、検索語使用頻度、メディアコンテンツ使用頻度など）、重要度及び優先順位が一緒に格納することができる。格納部１５０には、タッチスクリーン１３０上のタッチ入力に応答して出力される多様なパターン（ｐａｔｔｅｒｎ）の振動及び音響に関するデータを格納することもできる。
【００５４】
格納部１５０は、電子装置１００の運営体制（ＯＳ、Ｏｐｅｒａｔｉｎｇ  Ｓｙｓｔｅｍ）、タッチスクリーン１３０を利用した入力及び表示制御動作と関連したプログラム、アプリケーションを通じて作成中の文書のページ内にリアルタイムでデータを挿入する制御動作と関連したプログラム、そして各プログラムの動作によって発生するデータなどを持続的にまたは一時的に格納することができる。また、格納部１５０は、アプリケーションを通じて作成中の文書のページでユーザのジェスチャーがドローイングされる形状及びサイズに対応する領域６００を生成することと関連した多様な設定情報を格納することができる。
【００５５】
前記設定情報は、領域６００をユーザ入力に対応する形態に維持するか、または図形抽出によって整形化された形態に自動変換する方式に対する情報や、領域６００を生成するユーザ入力方式（例えば、特定図形に対応するドローイング方式、ドラッグ（ｄｒａｇ）方式、マルチタッチ方式など）に対する情報などを含むことができる。また、前記設定情報は、データが獲得される対象（ｔａｒｇｅｔ）であるメモリに対する情報を格納することができる。前記メモリに対する情報は、データが提供される対象（例えば、電子装置１００に機能的に連結され、データを提供する対象）によって設定することができる。例えば、前記設定情報は、データを格納部１５０またはカメラモジュール１７０を利用して獲得する内部データ獲得方式と、データを外部サーバーを利用して獲得する外部データ獲得方式などに対して設定される情報を含むことができる。前記設定情報は、ユーザ設定によって定義されるかまたは電子装置１００の製造時に基本に設定されて提供することができる。
【００５６】
格納部１５０は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マイクロタイプ（ｍｉｃｒｏ  ｔｙｐｅ）、及びカードタイプ（例えば、ＳＤカード（Ｓｅｃｕｒｅ  Ｄｉｇｉｔａｌ  Ｃａｒｄ）またはＸＤカード（ｅＸｔｒｅａｍ  Ｄｉｇｉｔａｌ  Ｃａｒｄ））などのメモリと、ＤＲＡＭ（Ｄｙｎａｍｉｃ  Ｒａｎｄｏｍ  Ａｃｃｅｓｓ  Ｍｅｍｏｒｙ）、ＳＲＡＭ（Ｓｔａｔｉｃ  ＲＡＭ）、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  ＰＲＯＭ）、磁気メモリ（ＭＲＡＭ、Ｍａｇｎｅｔｉｃ  ＲＡＭ）、磁気ディスク（ｍａｇｎｅｔｉｃ  ｄｉｓｋ）、及び光ディスク（ｏｐｔｉｃａｌ  ｄｉｓｋ）タイプのメモリのうち少なくとも１つのタイプの格納媒体（ｓｔｏｒａｇｅ  ｍｅｄｉｕｍ）を含むことができる。電子装置１００は、インターネット上で前記格納部１５０の格納機能を行うウェブストレージ（ｗｅｂ  ｓｔｏｒａｇｅ）と関連して動作することもできる。
【００５７】
インターフェース部１６０は、電子装置１００に連結されるすべての外部機器との通路の役目を行うことができる。インターフェース部１６０は、外部機器からデータを伝送されるかまたは電源を供給されて電子装置１００内部の各構成要素に伝達するか、または電子装置１００内部のデータが外部機器に伝送されるようにすることができる。例えば、有線／無線ヘッドセットポート（ｐｏｒｔ）、外部充電器ポート、有線／無線データポート、メモリカード（ｍｅｍｏｒｙ  ｃａｒｄ）ポート、識別モジュールが具備された装置を連結するポート、オーディオ入出力（Ｉｎｐｕｔ／Ｏｕｔｐｕｔ）ポート、ビデオ入出力ポート、イヤホンポートなどがインターフェース部１６０に含むことができる。
【００５８】
カメラモジュール１７０は、電子装置１００の撮影機能を支援する構成を示す。カメラモジュール１７０は、被写体の停止映像及び動画撮影を支援することができる。カメラモジュール１７０は、制御部１８０の制御によって任意の被写体を撮影し、撮影されたデータを表示部１３１及び制御部１８０に伝達することができる。カメラモジュール１７０は、入力された光信号を電気的信号に変換するイメージセンサー（またはカメラセンサー）（図示せず）と、前記イメージセンサーから入力される電気的信号をデジタル映像データに変換するイメージ信号処理部（図示せず）などを含んで構成することができる。前記イメージセンサーは、ＣＣＤ（Ｃｈａｒｇｅ−ｃｏｕｐｌｅｄ  Ｄｅｖｉｃｅ）またはＣＭＯＳ（Ｃｏｍｐｌｅｍｅｎｔａｒｙ  Ｍｅｔａｌ−Ｏｘｉｄｅ−Ｓｅｍｉｃｏｎｄｕｃｔｏｒ）などの方式を利用するセンサーを含むことができる。カメラモジュール１７０は、ユーザ設定による多様な撮影オプション（例えば、ズーミング（ｚｏｏｍｉｎｇ）、画面比率、効果（ｅｆｆｅｃｔ）（例えば、スケッチ、モノー、セピア、ビンテージ、モザイクなど）、額縁など）による撮影を支援するためのイメージ処理機能を支援することができる。
【００５９】
制御部１８０は、電子装置１００の全般的な動作を制御することができる。例えば、制御部１８０は、音声通信、データ通信、画像通信などに関連した制御を行うことができる。制御部１８０は、本発明のアプリケーションによる文書作成機能と関連した動作を処理するアプリケーションプロセッサー（ＡＰ、Ａｐｐｌｉｃａｔｉｏｎ  Ｐｒｏｃｅｓｓｏｒ）（図示せず）を具備することができる。本発明でアプリケーションプロセッサーは、制御部１８０内に具現されてもよい、制御部１８０と別に具現されてもよい。多様な実施例によれば、前記制御部１８０は、ページ表示モジュール１８４と、領域表示モジュール１８６と、データ表示モジュール１８８とを含むデータ処理モジュール１８２を含むことができる。前記ページ表示モジュール１８４、領域表示モジュール１８６及びデータ表示モジュール１８８に関する追加的な情報は、図面、例えば図２及び図３５などと関連して以下に提供される。
【００６０】
制御部１８０（例えば、ページ表示モジュール１８４）は、編集可能なページを表示することができる。制御部１８０（例えば、領域表示モジュール１８６）は、例えば特定アプリケーション（例えば、文書編集機、電子メール編集機、またはウェブブラウザー）でページ表示（ｖｉｅｗ）中に当該ページ内に領域６００の生成のための領域生成イベント（例えば、ユーザジェスチャー）に対応するように前記領域６００を生成して表示することができる。制御部１８０（例えば、領域表示モジュール１８６）は、前記領域６００を生成するとき、データ獲得方式を決定することができる。制御部１８０（例えば、データ表示モジュール１８８）は、決定されたデータ獲得方式に従って内部データまたは外部データを獲得し、獲得されたデータを前記領域６００を通じて表示されるように制御することができる。また、制御部１８０（例えば、データ表示モジュール１８８）は、前記領域６００を生成するとき、前記カメラモジュール１７０から獲得するデータ（例えば、プレビューイメージ）を前記領域６００を通じてプレビューで表示されるように制御することができる。
【００６１】
制御部１８０（例えば、データ表示モジュール１８８）は、前記領域６００を通じて獲得されたデータを表示する中に、現在表示中のデータの挿入のための挿入イベントを検出することができる。そして、制御部１８０は、前記挿入イベントを検出するとき、前記挿入イベントに応答して前記領域６００を通じて表示された当該データをページ内に挿入するための挿入データで生成した後、当該ページに挿入されて表示されるように制御することができる。
【００６２】
制御部１８０（例えば、ページ表示モジュール１８４）は、アプリケーションでオブジェクト入力モードとデータ挿入モードを区分して動作することができる。例えば、本発明の多様な実施例で前記オブジェクト入力モードは、オブジェクト（ｏｂｊｅｃｔ）（例えば、ページにユーザが入力するテキスト、図形、絵など）を入力することができるモードを示すことができる。また、本発明の多様な実施例で前記データ挿入モードは、領域６００の生成及び生成された領域６００を通じて内部または外部データを表示することができ、前記領域６００に対する編集（サイズ調整、位置移動、回転など）及び前記領域６００を通じて表示中のデータに対するオプション（例えば、拡大、縮小、効果、切り出し、飾り、額縁、回転など）編集が可能なモードを示すことができる。例えば、前記データ挿入モードは、領域６００の生成が可能であり、生成する当該領域６００を通じて獲得されるデータの表示及び選択されるデータの挿入が可能なモードを示すことができる。
【００６３】
制御部１８０（例えば、ページ表示モジュール１８４）は、前記オブジェクト入力モード及び前記データ挿入モード間の切り替えを制御することができ、前記オブジェクト入力モードから前記データ挿入モードに切り替えの時に実行中のアプリケーションのページ画面を維持する状態でユーザのジェスチャー入力を待機することができる。制御部１８０は、前記オブジェクト入力モードで前記データ挿入モードの活性化（実行、切り替え）のための挿入アイテムの選択に応答して前記オブジェクト入力モードから前記データ挿入モードへの切り替えを制御することができる。
【００６４】
制御部１８０（例えば、領域表示モジュール１８６）は、前記データ挿入モードで入力されるユーザジェスチャーの位置、形状及びサイズに対応するように領域６００を生成し、前記ページ内に表示することができる。例えば、制御部１８０は、オブジェクト入力モードとデータ挿入モードを通じてページ内にオブジェクトを入力するユーザ入力と領域６００生成のためのユーザ入力を区分することができる。データ挿入モードでのユーザ入力は、領域６００を生成するための入力として処理され、当該ユーザ入力が領域６００生成のための条件を満足しない場合、当該ユーザ入力は無視することができる。すなわち、ユーザ入力が意図せずオブジェクト入力として処理されることを防止することができる。
【００６５】
また、制御部１８０（例えば、データ表示モジュール１８８）は、前記オブジェクト入力モードから前記データ挿入モードに切り替わる時点または前記領域生成イベントが入力される時点で前記カメラモジュール１７０をバックグラウンド（ｂａｃｋｇｒｏｕｎｄ）で駆動することができ、前記領域６００の生成時に前記カメラモジュール１７０を通じて獲得するデータ（プレビューイメージ）を前記領域６００を通じて表示されるように制御することができる。
【００６６】
このような制御部１８０の詳細制御動作について後述する図面を参照した電子装置１００の動作例示及びその制御方法で説明される。
【００６７】
また、本発明の実施例による制御部１８０は、前記機能以外に電子装置１００の通常的な機能と関連した各種動作を制御することができる。例えば、制御部１８０は、特定アプリケーション実行時にその運用及び画面表示を制御することができる。また、制御部１８０は、タッチ基盤の入力インターフェース（例えば、タッチスクリーン１３０）で支援する多様なタッチイベント入力に対応する入力信号を受信し、それによる機能運用を制御することができる。また、制御部１８０は、有線通信基盤または無線通信基盤で各種データの送受信を制御することもできる。
【００６８】
電源供給部１９０は、制御部１８０の制御によって外部の電源、内部の電源を印加されて各構成要素の動作に必要な電源を供給することができる。
【００６９】
以上説明したように、本発明の多様な実施例による電子装置は、一実施例によれば、ユーザ入力を受け入れるためのページを表示するためのコンピュータによって実行される（ｃｏｍｐｕｔｅｒ−ｉｍｐｌｅｍｅｎｔｅｄ）ページ表示モジュール１８４、前記ユーザ入力に反応して前記ページ内に領域（例えば、ウィンドウ）を表示するためのコンピュータによって実行される領域表示モジュール１８６、および前記領域表示に反応して前記領域内にデータを表示するためのコンピュータによって実行されるデータ表示モジュール１８８によって具現することができる。本発明の多様な実施例で前記データ表示モジュール１８８は、前記ユーザ入力に反応して前記データを獲得するように動作することができる。
【００７０】
本発明の多様な実施例で前記領域表示モジュール１８６は、前記ユーザ入力に反応して前記領域を表示するように動作することができる。
【００７１】
以上説明したような、本発明の多様な実施例による電子装置１００は、本発明の機能を支援するすべての情報通信機器、マルチメディア機器及びそれに対する応用機器のようにＡＰ（Ａｐｐｌｉｃａｔｉｏｎ  Ｐｒｏｃｅｓｓｏｒ）、ＧＰＵ（Ｇｒａｐｈｉｃ  Ｐｒｏｃｅｓｓｉｎｇ  Ｕｎｉｔ）、ＣＰＵ（Ｃｅｎｔｒａｌ  Ｐｒｏｃｅｓｓｉｎｇ  Ｕｎｉｔ）を使用するすべてのデバイスを含むことができる。例えば、前記電子装置１００は、多様な通信システムに対応する各通信プロトコル（ｃｏｍｍｕｎｉｃａｔｉｏｎ  ｐｒｏｔｏｃｏｌｓ）に基づいて動作する移動通信端末機を含めて、タブレット（ｔａｂｌｅｔ）ＰＣ（Ｐｅｒｓｏｎａｌ  Ｃｏｍｐｕｔｅｒ）、スマートフォン（Ｓｍａｒｔ  Ｐｈｏｎｅ）、ＰＭＰ（Ｐｏｒｔａｂｌｅ  Ｍｕｌｔｉｍｅｄｉａ  Ｐｌａｙｅｒ）、メディアプレーヤー（Ｍｅｄｉａ  Ｐｌａｙｅｒ）（例えば、ＭＰ３プレーヤー）、携帯ゲーム端末、及びＰＤＡ（Ｐｅｒｓｏｎａｌ  Ｄｉｇｉｔａｌ  Ａｓｓｉｓｔａｎｔ）などのデバイスを含むことができる。なお、本発明の多様な実施例による機能制御方法は、デジタルテレビ（Ｄｉｇｉｔａｌ  Ｔｅｌｅｖｉｓｉｏｎ）、ＤＳ（Ｄｉｇｉｔａｌ  Ｓｉｇｎａｇｅ）、ＬＦＤ（Ｌａｒｇｅ  Ｆｏｒｍａｔ  Ｄｉｓｐｌａｙ）などのように多様なディスプレイデバイス、ノートパソコンなどのようなラップトップコンピュータ及び個人用コンピュータ（ＰＣ）などに適用されて運用することもできる。
【００７２】
そして、本発明で説明される多様な実施例は、ソフトウェア（ｓｏｆｔｗａｒｅ）、ハードウェア（ｈａｒｄｗａｒｅ）またはこれらの組合されたものを利用してコンピュータ（ｃｏｍｐｕｔｅｒ）またはこれと類似な装置で読み取り可能な記録媒体内で具現することができる。ハードウェア的な具現によれば、本発明で説明される実施例は、ＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ（ｐｒｏｃｅｓｓｏｒｓ）、制御機（ｃｏｎｔｒｏｌｌｅｒｓ）、マイクロコントローラー（ｍｉｃｒｏ−ｃｏｎｔｒｏｌｌｅｒｓ）、マイクロプロセッサー（ｍｉｃｒｏｐｒｏｃｅｓｓｏｒｓ）、その他機能実行のための電気的なユニット（ｕｎｉｔ）のうち少なくとも１つを利用して具現することができる。
【００７３】
そして、一部の場合に本明細書で説明される実施例が制御部１８０自体で具現することができる。ソフトウェア的な具現によれば、本明細書で説明される手続及び機能のような実施例は、別途のソフトウェアモジュール（例えば、ページ表示モジュール１８４、領域表示モジュール１８６またはデータ表示モジュール１８８）で具現することができる。前記ソフトウェアモジュールのそれぞれは、本明細書で説明される１つ以上の機能及び動作を行うことができる。
【００７４】
ここで、前記記録媒体は、ユーザ入力を受け入れるためのページを表示する動作、前記ユーザ入力に反応して前記ページ内に領域６００を表示する動作、及び前記領域６００の表示に反応して前記領域６００内にデータを表示する動作を行うプログラムを格納したコンピュータで読み取り可能な記録媒体を含むことができる。
【００７５】
図３〜図９は、本発明の実施例による電子装置１００でページ内にデータを挿入する動作例示を示す図である。
【００７６】
図３〜図９を参照すれば、図３は、電子装置１００のユーザが本発明による動作を行うためのアプリケーションを実行したときの電子装置１００の画面例示を示すものである。図３の実施例では、前記アプリケーションがメモアプリケーションであることを仮定して説明する。しかし、本発明の多様な実施例がメモアプリケーションに限定されて動作するものではなく、前記アプリケーションは、編集が可能なページを表示し、前記ページに各種データを入力することができるすべての形態のアプリケーションを含むことができる。
【００７７】
図３に示されたように、図３の実施例では、ユーザがメモアプリケーションを実行し、これを利用して文書を作成している状態であることが可能である。例えば、電子装置１００は、ユーザのメモアプリケーション実行に応答して前記メモアプリケーションに対応するＵＩまたはＧＵＩを有するページ２００の画面を表示することができる。
【００７８】
図３の例示によるメモアプリケーションのページ２００を説明すれば、前記ページ２００は、多様なオプションアイテムが提供されるアイテム領域２１０と文書作成領域２３０とに区分することができる。前記アイテム領域２１０は、前記ページ２００の一領域に配置することができ、前記文書作成領域２３０にオーバレイ（ｏｖｅｒｌａｙ）で提供することもできる。
【００７９】
前記オプションアイテムは、前記ページ２００内で文書を作成するときに必要な多様なスタイラス（ｓｔｙｌｕｓ）（またはオプション（ｏｐｔｉｏｎ））を選択することができるアイテムを含むことができる。例えば、前記オプションアイテムは、文書で作成（入力）されるオブジェクトの色、太さ、削除、戻しなどのための編集アイテム２１１、データの挿入のための挿入アイテム２１３、及び作成された文書の外部共有（送信）のための共有アイテム２１５などを含むことができる。
【００８０】
特に、本発明では、前記挿入アイテム２１３によって領域６００を生成して内部または外部から獲得するデータを表示し、前記領域６００を通じて表示されるデータをページ２００内に挿入するためのデータ挿入モードに切り替える動作実行が命令することができる。電子装置１００は、前記挿入アイテム２１３にユーザ入力に応答して前記データ挿入モードを活性化するとき、文書作成領域２３０に入力されるユーザ入力を文書作成のためのオブジェクトの入力（例えば、テキスト入力など）ではない、領域６００を生成するための入力として処理することができる。
【００８１】
そして、図３の例示では、前記挿入アイテム２１３を１つの形態で示したが、前記挿入アイテム２１３は、ページ内に挿入しようとするデータのフォーマット（例えば、静的イメージ、動的イメージ、音楽ファイル）または挿入対象のデータ獲得方式（例えば、電子装置１００に格納された内部データ挿入、撮影データ挿入、外部サーバーに格納されたデータ挿入など）によって複数個で具現することができる。また、図３の例示では、前記オプションアイテムをアイコン（ｉｃｏｎ）形態で示したが、その具現方法によってアイコン、テキストまたはこれらの組合によって提供することもできる。
【００８２】
図３のような状態で、ユーザは、データ（例えば、内部データまたは外部データ）の挿入が可能な前記データ挿入モードに切り替えるために、図４に示されたようにアイテム領域２１０のオプションアイテムのうち前記挿入アイテム２１３を選択（例えば、タップ（ｔａｐ）基盤タッチイベント）することができる。例えば、ユーザは、前記ページ２００で文書作成中に前記ページ２００にデータ（例えば、静的イメージ、動的イメージ）を挿入するために前記挿入アイテム２１３を選択することができる。それから、電子装置１００は、挿入アイテム２１３が選択されるとき、オブジェクト入力ではないデータ挿入のための動作開始（例えば、領域６００生成のための動作開始）であるものと決定し、これにより、オブジェクト入力モードから前記データ挿入モードに切り替えて、ユーザ入力を待機することができる。
【００８３】
ユーザは、前記挿入アイテム２１３を選択し、データ挿入モードの動作開始を実行した後、前記ページ２００でデータが挿入される位置及びそのサイズを決定することができる。そして、ユーザは、決定された位置に領域６００を生成するユーザジェスチャー（領域生成イベント）（例えば、ドローイング）を入力することができる。
【００８４】
例えば、ユーザは、図５及び図６の例示のように、前記ページ２００で決定された位置（領域）で決定されたサイズに対応する四角形態の領域６００を描くジェスチャー（ドローイング）を入力することができる。一実施例によれば、図５及び図６は、ユーザが文書作成領域２３０で時計方向に閉曲線を有する図形（例えば、四角形類、円形類など）の領域６００をドローイングしている状態の電子装置１００の画面例示を示すものである。そして、図６のように、ユーザのジェスチャー入力が完了するとき、図６に示した電子装置１００の画面は、図７のように切り替わることができる。
【００８５】
図７は、電子装置１００がデータ挿入モードでユーザのジェスチャー（領域生成イベント）に応答して領域６００を生成したときの電子装置１００の画面例示を示すものである。一実施例によれば、図７は、ユーザがジェスチャー入力によって完成された矩形をドローイングする領域生成イベントを入力すれば、電子装置１００が領域生成イベントに応答してドローイングされた矩形に対応する領域６００を生成した場合の電子装置１００の画面例示を示すものである。
【００８６】
この際、図７の例示のように、電子装置１００は、領域６００を生成しながら設定された方式に対応するデータ（例えば、内部データまたは外部データ）を獲得し、獲得されたデータを前記領域６００を通じてプレビューで表示することができる。また、電子装置１００は、本発明の例示によって獲得しようとするデータが内部データであり、前記内部データを撮影によって獲得する方式である場合、前記領域６００を生成するとき、カメラモジュール１７０をバックグラウンドで自動駆動することができる。そして、電子装置１００は、カメラモジュール１７０を通じて獲得する被写体のデータ（プレビューイメージ）を前記領域６００を通じてプレビューで表示することができる。
【００８７】
図７の例示では、獲得するデータが内部または外部から獲得される静的イメージである場合の例示を示し、図７に示されたように、領域６００を通じて静的イメージがプレビューで表示することができる。例えば、電子装置１００は、格納部１５０のギャラリーに格納された写真データを抽出し、抽出された写真データを前記領域６００を通じてプレビューで表示することができる。また、電子装置１００は、外部サーバーから写真データをダウンロードし、ダウンロードされたデータを前記領域６００を通じてプレビューで表示することができる。
【００８８】
前記領域６００は、ユーザが前記ページ２００で入力するジェスチャー（ドローイング）に対応する位置及びサイズによって生成することができ、ユーザの直観性及び領域６００の編集（例えば、サイズ調節、位置移動、回転など）のための調整アイテム６５０が領域６００の枠に具現することもできる。ユーザは、前記調整アイテム６５０を利用して領域６００のサイズを調節（いずれか１つの方向（例えば、上、下、左または右方向）に拡張または縮小、多方向（例えば、左上、右上、左下、または右下の対角方向）に拡張または縮小など）することができる。また、ユーザは、調整アイテム６５０または調整アイテム６５０が形成された枠を押圧した状態でいずれか１つの方向に移動するジェスチャー（ドラッグ）によって領域６００の位置をページ２００内で移動することができる。
【００８９】
図８は、図７のようにデータがページ２００内の領域６００を通じてプレビューで表示されている状態でユーザが領域６００のデータを挿入（選択）する命令（挿入イベント）を入力する場合の電子装置１００の画面例示を示すものである。本発明において挿入イベントは、図８の例示のように、領域６００にタッチ基盤のタッチイベント（例えば、タップ）に入力されるか、またはユーザ入力部１２０を利用して入力することができる。そして、ユーザの挿入イベント入力によって図８に示した電子装置１００の画面は、図９のように切り替わることができる。
【００９０】
ここで、図８のように、領域６００が活性化された状態でのユーザ入力は、領域６００及び領域６００内のデータに対する操作のための入力のみを有効入力として処理することができる。ページ２００内で前記領域６００を除いた他の領域でのユーザ入力（例えば、オブジェクト入力など）に対しては、無視処理することができる。しかし、前記他の領域での入力が領域６００に対する操作であるか、またはメニュー呼出などと関連した入力に対しては、有効入力として処理することができる。
【００９１】
図９は、電子装置１００がアプリケーションでユーザによって生成された領域６００に表示されたデータをユーザ入力によって作成中の文書の当該ページ２００内に挿入したときの電子装置１００の画面例示を示すものである。一実施例によれば、図９は、電子装置１００が領域６００に表示されたデータをユーザ入力によって挿入データで生成し、生成された挿入データを作成中の文書の当該ページ２００内に挿入したときの電子装置１００の画面例示を示すものである。
【００９２】
図９に示されたように、領域６００の活性化状態を指示した枠及び調整アイテム６５０は、除去され、領域６００のサイズに対応するデータが前記ページ２００から領域６００が表示中であった当該位置に挿入されて提供することができる。この際、電子装置１００は、挿入データが挿入されるとき、データ挿入モードを自動終了し、オブジェクト入力モードに自動切り替えした後、ユーザ入力（例えば、オブジェクト入力など）を待機することができる。しかし、本発明の多様な実施例がこれに限定されるものではなく、ユーザ設定によってデータ挿入後にもデータ挿入モードをそのまま維持することもできる。
【００９３】
図１０〜図１２は、本発明の実施例による電子装置１００でページ２００内のオブジェクトを利用してデータを検索及び表示する動作例示を示す図である。
【００９４】
図１０〜図１２を参照すれば、図１０は、電子装置１００のユーザが本発明による動作を行うためのアプリケーションを実行したときの電子装置１００の画面例示を示すものである。そして、電子装置１００は、アプリケーションで文書作成によるユーザ入力を受信し、それに対応するオブジェクトを表示することができる。例えば、図１０の実施例では、ユーザがアプリケーションを実行し、オブジェクト“ＣＡＲ”を入力することができる。それから、電子装置１００は、ユーザ入力に対応して図１０の例示のように当該オブジェクト（例えば、“ＣＡＲ”のテキスト）がページ２００に入力された画面を表示することができる。
【００９５】
図１０のような状態で、ユーザは、前述したような手続によってデータ挿入モードに切り替えた後、図１１に示されたようにページ２００の一領域に領域６００を生成することができる。例えば、ユーザは、図１１の例示のように、前記ページ２００の決定された位置（領域）で決定されたサイズに対応する四角形態の領域６００を描くジェスチャー（ドローイング）を入力することができ、それに対応する四角形態の領域６００がドローイングされている状態の画面が提供することができる。
【００９６】
図１２は、電子装置１００がデータ挿入モードでユーザのジェスチャーに応答して領域６００を生成したときの電子装置１００の画面例示を示すものである。一実施例によれば、図１２は、ユーザがジェスチャー入力によって完成された矩形をドローイングする領域生成イベントを入力すれば、電子装置１００が領域生成イベントに応答してドローイングされた矩形に対応する領域６００を生成した場合の電子装置１００の画面例示を示すものである。
【００９７】
この際、図１２の例示のように、電子装置１００は、領域６００を生成しながら設定された方式に対応するデータ（例えば、内部データまたは外部データ）を前記入力されたオブジェクト（例えば、ＣＡＲ）を基盤として検索して獲得し、獲得されたデータを前記領域６００を通じてプレビューで表示することができる。電子装置１００は、特定オブジェクト（例えば、ＣＡＲ）が入力された状態でデータ挿入モードによる領域６００を生成するとき、前記領域６００を通じて表示するデータを前記入力されたオブジェクト（例えば、ＣＡＲ）を基盤として検索して獲得することができる。
【００９８】
電子装置１００は、ページ２００に入力されたオブジェクトを認識して検索語（例えば、ＣＡＲ）を生成し、生成された検索語を利用して設定されたデータ獲得方式に従って内部データまたは外部データを検索することができる。例えば、電子装置１００は、入力されたオブジェクトである“ＣＡＲ”を認識し、内部データまたは外部データで“ＣＡＲ”に対応するデータを検索することができる。そして、検索語（例えば、ＣＡＲ）に対応するように検索されたデータを一時格納（またはバッファリング（ｂｕｆｆｅｒｉｎｇ））し、一時格納されたデータを領域６００に表示可能になるように処理することができる。
【００９９】
以上、図１０〜図１２の例示のように、ユーザは、ページ２００内にデータ挿入時に自分が希望する検索語をオブジェクトで入力することができる。そして、検索語基盤のオブジェクトを入力した後、領域６００を描くことだけで当該検索語に対応するデータを領域６００を通じて提供することができる。
【０１００】
図１３〜図１８は、本発明の実施例による電子装置１００でページ内に撮影データを挿入する動作例示を示す図である。
【０１０１】
図１３〜図１８を参照すれば、図１３は、電子装置１００のユーザが本発明による動作を行うためのアプリケーションを実行し、これを利用して文書作成によるオブジェクトを入力することができる。一実施例によれば、図１３は、前述したような図３の画面例示のような状態でユーザが特定オブジェクトを入力したときの電子装置１００の画面例示を示すものである。例えば、電子装置１００は、ユーザ入力に対応して図１３のようなオブジェクト（例えば、“ＷＩＮＥ？”のテキスト）画面を表示することができる。例えば、図３に示した電子装置１００の画面は、ユーザの文書作成のためのオブジェクト（例えば、Ｗ、Ｉ、Ｎ、Ｅ、？）入力によって図１３のように切り替わることができる。
【０１０２】
図１３に示されたように、電子装置１００は、ページ２００の一領域にユーザ入力に対応するオブジェクト“ＷＩＮＥ？”を表示することができる。前記オブジェクトは、ユーザ入力によってＷ、Ｉ、Ｎ、Ｅ、？が順次に入力され、“ＷＩＮＥ？”のように画面に現われることが可能である。
【０１０３】
図１３のような状態で、ユーザは、リアルタイム撮影を通じて獲得する撮影データの挿入が可能なデータ挿入モードに切り替えるために、図１３に示されたように、アイテム領域２１０のオプションアイテムのうち挿入アイテム２１３を選択（例えば、タップ基盤タッチイベント）することができる。例えば、ユーザは、前記ページ２００で文書作成中に前記ページ２００に撮影データ（例えば、静的イメージ、動的イメージ）を挿入するために前記挿入アイテム２１３を選択することができる。それから、電子装置１００は、挿入アイテム２１３が選択されるとき、オブジェクト入力ではないデータ挿入のための動作開始（例えば、領域６００（例えば、ウィンドウ）生成のための動作開始）であるものと決定し、これにより、オブジェクト入力モードから前記データ挿入モードに切り替えて、ユーザ入力を待機することができる。
【０１０４】
ユーザは、前記挿入アイテム２１３を選択し、データ挿入モードの動作開始を実行した後、前記ページ２００で撮影データが挿入される位置及びそのサイズを決定することができる。そして、ユーザは、決定された位置に領域６００を生成するユーザジェスチャー（領域生成イベント）（例えば、ドローイング）を入力することができる。
【０１０５】
例えば、ユーザは、図１４及び図１５の例示のように、前記ページ２００で決定された位置（領域）で決定されたサイズに対応する四角形態の領域６００を描くジェスチャー（ドローイング）を入力することができる。一実施例によれば、図１４及び図１５は、ユーザがページ２００で時計方向に閉曲線を有する図形（例えば、四角形類、円形類など）の領域６００をドローイングしている状態の電子装置１００の画面例示を示すものである。そして、図１５のよう、ユーザのジェスチャー入力が完了するとき、図１５に示した電子装置１００の画面は、図１６のように切り替わることができる。
【０１０６】
図１６は、電子装置１００がデータ挿入モードでユーザのジェスチャー（領域生成イベントに応答して領域６００を生成したときの電子装置１００の画面例示を示すものである。一実施例によれば、図１６は、ユーザがジェスチャー入力によって完成された矩形をドローイングする領域生成イベントを入力すれば、電子装置１００は、領域生成イベントに応答してドローイングされた矩形に対応する領域６００を生成した場合の電子装置１００の画面例示を示すものである。
【０１０７】
この際、図１６の例示のように、電子装置１００は、領域６００を生成しながらカメラモジュール１７０をバックグラウンドで自動駆動することができる。そして、電子装置１００は、カメラモジュール１７０を通じて獲得する被写体のデータ（例えば、プレビューイメージ）を前記領域６００を通じてプレビューで表示することができる。図１６の例示では、ユーザが被写体として瓶（ｂｏｔｔｌｅ）を撮影する場合の例示を示し、図１６に示されたように、領域６００を通じて瓶のイメージがプレビューで表示することができる。前記領域６００は、前述したように、ユーザが入力するジェスチャー（ドローイング）に対応する位置及びサイズによって生成することができ、調整アイテム６５０が領域６００の枠に具現することができる。
【０１０８】
図１７は、図１６のように、被写体のデータがページ２００内の領域６００を通じてプレビューに表示されている状態でユーザが領域６００のデータを撮影して挿入する命令（挿入イベント）を入力する場合の電子装置１００の画面例示を示すものである。本発明で挿入イベントは、図１７の例示のように、領域６００にタッチ基盤のタッチイベント（例えば、タップ）で入力されるか、またはユーザ入力部１２０を利用して入力することができる。そして、ユーザの挿入イベント入力によって図１７に示した電子装置１００の画面は、図１８のように切り替わることができる。
【０１０９】
図１８は、電子装置１００がアプリケーションでユーザによって生成された領域６００に表示されたデータをユーザ入力によって撮影し、作成中の文書の当該ページ２００内に挿入したときの電子装置１００の画面例示を示すものである。一実施例によれば、図１８は、電子装置１００が領域６００に表示されたデータをユーザ入力によって撮影して挿入データとして生成し、生成された挿入データを作成中の文書の当該ページ２００内に挿入したときの電子装置１００の画面例示を示すものである。
【０１１０】
図１８に示されたように、領域６００の活性化状態を指示した枠及び調整アイテム６５０は除去され、領域６００のサイズに対応するデータが前記ページ２００から領域６００が表示中であった当該位置に挿入されて提供することができる。この際、電子装置１００は、挿入データが挿入されるとき、データ挿入モードを自動終了し、オブジェクト入力モードに自動切り替えした後、ユーザ入力（例えば、オブジェクト入力など）を待機することができる。しかし、本発明の多様な実施例がこれに限定されるものではなく、ユーザ設定によってデータ挿入後にもデータ挿入モードをそのまま維持することもできる。
【０１１１】
一方、電子装置１００は、挿入データが生成され、作成中であった文書のページ６００の当該領域に挿入されるとき、これ以上カメラモジュール１７０を使用する必要がない。電子装置１００は、挿入データを生成及び挿入した後、カメラモジュール１７０を用いた撮影機能を遮断（ｄｅａｃｔｉｖａｔｅ）することができる。例えば、カメラモジュール１７０は、ターン−オフ（ｔｕｒｎ−ｏｆｆ）することができる。しかし、本発明の多様な実施例がこれに限定されるものではなく、ユーザ設定によってカメラモジュール１７０の駆動状態をアプリケーションの終了前まで維持することもできる。
【０１１２】
図１９及び図２０は、本発明の実施例による電子装置１００でアプリケーションを利用した文書作成の動作例示を示す図である。
【０１１３】
図１９及び図２０を参照すれば、図１９は、図１８のような状態でユーザが新しいオブジェクト（例えば、“８０年産レッド”）を入力したときの電子装置１００の画面例示を示すものである。電子装置１００は、アプリケーションで前述したように作成中であった文書の当該ページ２００にデータが挿入されてから、オブジェクト入力モードに切り替わり、追加的な文書作成のためのユーザ入力を受信することができ、それに対応するオブジェクト（例えば、テキスト、図形など）を表示することができる。例えば、電子装置１００は、ユーザ入力に対応して図１９のようにオブジェクト“８０年産レッド”が入力された画面を表示することができる。例えば、図１８に示した電子装置１００の画面は、ユーザのオブジェクト追加入力によって図１９のように切り替わることができる。
【０１１４】
また、ユーザは、図１８または図１９のような状態でページ２００内に挿入されたデータに対してもオブジェクト（例えば、テキスト、図形など）を入力することができる。このような画面例示が図２０に示されている。一実施例によれば、図２０は、図１９のような状態でユーザがページ２００内に挿入されたデータに追加的なオブジェクト（例えば、挿入データを飾る図形やテキストなど）を入力したときの電子装置１００の画面例示を示すものである。例えば、電子装置１００は、ユーザ入力に対応して図２０のようにオブジェクト“波イメージ”のような図形（１０１０）と“ｇｏｏｄ”のようなテキスト１０３０が入力された画面を表示することができる。例えば、図１９に示した電子装置１００の画面は、ユーザのオブジェクト追加入力によって図２０のように切り替わることができる。
【０１１５】
図２１は、本発明の実施例による電子装置１００でアプリケーション内の領域６００を通じてデータに対するオプション（スタイラス）を調節する動作例示を示す図である。
【０１１６】
図２１を参照すれば、図２１は、前述したように、内部データまたは外部データに対応する特定データがページ２００内に生成された領域６００を通じて表示された状態でユーザが当該データのオプション（スタイラス）を調整したときの電子装置１００の画面例示を示すものである。例えば、ユーザは、領域６００に表示中の静的／動的イメージに対するオプション（例えば、効果、回転、額縁、拡大または縮小など）を調整するか、またはカメラモジュール１７０から獲得し、領域６００に表示中のプレビューイメージを撮影する撮影オプション（例えば、ズーミング、画面比率、効果、額縁、回転など）を調整することができる。本発明の多様な実施例によれば、ユーザは、前記領域６００の少なくとも一部に多数個のオプション（スタイラス）のうち選択された１つのスタイラスまたはユーザ入力によるスタイラスのうち少なくとも１つを適用することができる。
【０１１７】
図２１に示されたように、図１１の例示では、ユーザが領域６００に表示中の静的イメージのデータに対するオプションとして拡大を行った状態の例示であるか、またはユーザが領域６００に表示中のプレビューイメージのデータに対する撮影オプションとしてズーミング（特に、ズームイン（ｚｏｏｍ  ｉｎ））を行った状態の例示を示すことができる。図２１の例示では、前記後者を利用して動作する場合を説明するが、図２１によるオプション調整動作は、領域６００を通じて表示可能なすべての内部データ及び外部データですべて利用することができる。
【０１１８】
図２１の例示に示されたように、ユーザは、領域６００が活性化された状態でズーミング、画面比率、効果などのような撮影オプションを設定することができ、電子装置１００は、ユーザによって設定される少なくとも１つの撮影オプションによる撮影を支援するためのイメージ処理を行うことができる。
【０１１９】
本発明の多様な実施例で前記ズーミングは、領域６００内で入力されるユーザ入力によってズームインまたはズームアウト（ｚｏｏｍ  ｏｕｔ）することができる。例えば、ユーザが領域６００内の一地点をシングルタッチした状態で上方にドラッグするとき、ズームインを行うことができ、下方にドラッグするとき、ズームアウトを行うことができる。または、ユーザが領域６００内の２つの地点をマルチタッチした状態でピンチズーム（ｐｉｎｃｈ  ｚｏｏｍ）（マルチタッチの間隔を減らすか、増やす方式）によってズーミングを行うことができる。または、ユーザがタッチペン（例えば、スタイラスペンなど）を利用したホバリング（ｈｏｖｅｒｉｎｇ）によってズーミングを行うことができる。また、このようなユーザ入力は、前記ズーミングだけでなく、前述したような多様なオプション調整でも利用することができる。本発明の多様な実施例でページ２００に生成された領域６００でデータに対するオプション調整は、多様な方法によって具現することができる。
【０１２０】
図２２及び図２３は、本発明の実施例による電子装置１００でページ内の領域６００を移動する動作例示を示す図である。
【０１２１】
図２２及び図２３を参照すれば、図２２及び図２３は、ページ２００内に生成された領域６００を通じてデータ（例えば、図２２及び図２３の例示で人イメージ）が表示されている状態でユーザが領域６００をページ２００内の他の領域（位置）に移動する場合の電子装置１００の画面例示を示すものである。前記領域６００にデータが表示されている状態は、前述した例示のように、当該データがページ２００内に挿入される前に、例えば、領域６００が活性化されている状態であることが可能である。
【０１２２】
図２２に示されたように、ユーザは、領域６００の枠のうち一領域を選択し、前記選択を維持する状態で領域６００をページ２００の下端に移動した後、前記選択を解除することができる。例えば、ユーザは、領域６００を選択した状態でページ２００内の希望する位置にドラッグした後、ドロップ（ｄｒｏｐ）するタッチ基盤のタッチイベントを入力することができる。
【０１２３】
それから、電子装置１００は、ユーザの領域６００の移動に応答して図２３に示されたように領域６００をページ２００内でユーザ入力に対応する領域に移動して表示することができる。例えば、図２２に示した電子装置１００の画面は、ユーザの領域６００の移動入力によって図２３のように切り替わることができる。
【０１２４】
図２４〜図２６は、本発明の実施例による電子装置１００でページ内の領域６００を調節する動作例示を示す図である。
【０１２５】
図２４〜図２６を参照すれば、図２４〜図２６は、ページ２００内に領域６００が活性化されている状態でユーザが領域６００のサイズを調節する場合の電子装置１００の画面例示を示すものである。ここで、前記領域６００に表示されるデータは、内部または外部から獲得される静的イメージまたは動的イメージであることが可能である。また、前記領域６００に表示されるデータは、カメラモジュール１７０を利用して獲得されるプレビューイメージであってもよい。
【０１２６】
本発明の多様な実施例で領域６００のサイズを調節するとき、前記領域６００に静的イメージまたは動的イメージが表示される場合または前記領域６００にプレビューイメージが表示される場合によって異なる動作を行うことができる。これを図２５及び図２６を通じて区分して説明する。一実施例によれば、図２５の場合、図２４で、領域６００に表示されるデータがプレビューイメージである場合の動作であることができ、図２６の場合、図２４で領域６００に表示されるデータが内部または外部から獲得された静的イメージまたは動的イメージである場合の動作であることが可能である。
【０１２７】
図２４に示されたように、ユーザは、領域６００の枠上に領域６００のサイズ調節のための調整アイテム６５０を選択し、前記選択を維持する状態で領域６００のサイズを調節（図１４及び図１５の例示では拡張する調節）するために下方向に移動した後、前記選択を解除することができる。例えば、ユーザは、領域６００の特定方向に位置したいずれか１つの調整アイテム６５０（例えば、図２４の例示では、領域６００の下端中央に形成された調整アイテム）を選択した状態で、前記領域６００のサイズを拡張するために下方向にドラッグした後、ドロップするタッチ基盤のタッチイベントを入力することができる。
【０１２８】
それから、電子装置１００は、ユーザの領域６００のサイズ調節（拡張調節）に応答して図２５または図２６に示されたように領域６００のサイズを調節（例えば、拡張）して表示することができる。この際、前述したように、領域６００に表示されているデータの種類によって領域６００のサイズ変化による他の結果の画面が提供することができる。
【０１２９】
図２５の場合、図２４で領域６００に表示されたデータがプレビューイメージである場合の動作例示を示すものである。図２５の例示を説明すれば、領域６００に表示されたデータがプレビューイメージである場合、領域６００に表示されるプレビューイメージの表示程度が領域６００のサイズ調節に対応して異なるように提供することができる。例えば、カメラモジュール１７０を通じて獲得する被写体のプレビューイメージが領域６００のサイズ変化分だけさらに見えられる。例えば、図２４に示した電子装置１００の画面は、ユーザの領域６００のサイズを調節する調節入力によって図２５のように切り替わることができる。
【０１３０】
図２６の場合、図２４で領域６００に表示されたデータが内部または外部から獲得された静的イメージまたは動的イメージである場合の動作例示を示すものである。図２６の例示を説明すれば、領域６００に表示されたデータが静的イメージまたは動的イメージである場合、領域６００に表示される当該データの表示程度が領域６００のサイズ調節に対応して異なるように提供することができる。例えば、当該データが領域６００のサイズ変化に対応する画面比率（例えば、４：３、１６：９、１６：１０など）または画面サイズ（例えば、０．５ｘサイズ、１．０ｘサイズ、１．５ｘサイズ、２．０ｘサイズなど）に変化して表示することができる。例えば、図２４に示した電子装置１００の画面は、ユーザの領域６００のサイズを調節する調節入力によって図２６のように切り替わることができる。このように、本発明の多様な実施例によれば、領域６００のサイズが変化（長さ及び幅のうち少なくとも１つの変化）すねとき、それに対応して領域６００内に表示される当該データの画面比率または画面サイズが自動調節されて提供することができる。
【０１３１】
図２７〜図２９は、本発明の実施例による電子装置１００から領域６００を通じて表示されるデータをスクロールする動作例示を示す図である。
【０１３２】
図２７〜図２９を参照すれば、図２７〜図２９は、ページ２００内に領域６００が活性化されている状態でユーザが領域６００に表示されるデータのスクロールを調節する場合の電子装置１００の画面例示を示すものである。
【０１３３】
本発明の多様な実施例で領域６００を通じて表示されるデータのスクロールは、図２７及び図２８の例示のように、ユーザのタッチ基盤のタッチイベント（例えば、スイープ、フリック、ドラッグなど）によって行うことができ、または、図２９の例示のように、電子装置１００に含まれる多様なセンサーを利用した電子装置１００の動作変化（姿勢変化）検出によって行うことができる。前記多様なセンサーは、音声センサー、照度センサー、加速度センサー、ジャイロセンサーなどを含むことができ、図２９の例示では、電子装置１００の動作を感知することができるセンサー類である場合を仮定することができる。
【０１３４】
図２７及び図２８に示されたように、図２７は、領域６００を通じて内部または外部から獲得された特定データ（例えば、自動車イメージ）が表示中の状態であることが可能である。図２７のような状態で、ユーザは、領域６００に表示されるデータを切り替え（スクロール）するために、スクロールイベントを入力することができる。例えば、ユーザは、前記領域６００上の一地点を選択（タッチ）した後、左方向または右方向に移動することができる。
【０１３５】
それから、電子装置１００は、ユーザのスクロールイベントに応答して図２８に示されたように領域６００のデータに対するスクロール動作を処理し、それに対応するようにスクロールされる他のデータを表示することができる。例えば、ユーザのスクロールイベントが入力される方向に対応して以前データまたは次のデータが領域６００を通じて表示することができる。
【０１３６】
図２９に示されたように、図２９の〈２２０１〉動作は、領域６００を通じて内部または外部から獲得された特定データ（例えば、自動車イメージ）が表示中の状態であることが可能である。前記〈２２０１〉動作のような状態で、ユーザは、領域６００に表示されるデータを切り替え（スクロール）するために、スクロールイベントを入力することができる。例えば、ユーザは、電子装置１００を左方向または右方向に傾ける動作を行うことができる。ここで、前記左方向（２２０３動作）または右方向（２２０５動作）は、ユーザが電子装置１００の表示部１３１を眺める状態でユーザ中心の方向であることを仮定することができる。例えば、ユーザは、電子装置１００を把持して眺める状態で〈２２０３〉動作のように左方向に電子装置１００を傾けるジェスチャーを行うか、または〈２２０５〉動作のように右方向に電子装置１００を傾けるジェスチャーを行うことができる。
【０１３７】
それから、電子装置１００は、ユーザのスクロールイベントに応答して〈２２０３〉動作または〈２２０５〉動作に示されたように、領域６００のデータに対するスクロール動作を処理してそれに対応するようにスクロールされる他のデータを表示することができる。例えば、ユーザのスクロールイベントが入力される方向に対応して以前データまたは次のデータが領域６００を通じて表示することができる。
【０１３８】
ここで、図２７〜図２９の例示で説明したように、領域６００のデータに対するスクロール動作時に領域６００内のデータに対する動作処理だけが行われ、ページ２００内のオブジェクトに対する処理は行われない。本発明の多様な実施例によれば、領域６００が活性化された状態では、領域６００及び領域６００のデータに対するユーザ入力のみを処理するようにすることによって、ユーザが意図しない動作が行われることを防止することができる。
【０１３９】
図３０〜図３４は、本発明の実施例による電子装置１００でページ内の領域６００を具現する動作例示を示す図である。
【０１４０】
図３０〜図３４を参照すれば、図３０〜図３４は、アプリケーションのオブジェクト入力モードで文書作成のようなページ編集中にデータ挿入モードに切り替わった状態でユーザの領域生成イベントに対応する領域６００が当該ページ２００内に具現される例示を示すものである。
【０１４１】
図３０に示されたように、図３０は、ユーザが閉曲線を有する特定図形（例えば、四角形、円形、星形、三角形など）で領域６００を生成する場合を示し、特にユーザが閉曲線を有する図形をドローイングすれば、ドローイングされた形態に対応する非整形化された領域６００が生成される場合の例示を示す。一実施例によれば、図３０は、ユーザのドローイングに対応する形状をそのまま反映し、領域６００が生成される場合を示す。
【０１４２】
図３１及び図３２に示されたように、図３１及び図３２は、ユーザが閉曲線を有する特定図形で領域６００を生成する場合を示し、特にユーザが閉曲線を有する図形をドローイングすれば、ドローイングされた領域を認識し、整形化された領域６００が生成される場合の例示を示す。一実施例によれば、図３１及び図３２は、ユーザのドローイングに対応する非整形化された閉曲線領域を認識し、整形化された閉曲線領域で変換して領域６００が生成される場合を示す。
【０１４３】
例えば、図３１の場合、非整形化された円形のドローイング領域を認識し、整形化された円形（楕円、円）の領域６００を生成し、ページ内に表示することができ、図３２の場合、非整形化された四角形のドローイング領域を認識し、整形化された四角形（横矩形、縦矩形、正四角）の領域６００を生成し、ページ内に表示することができる。
【０１４４】
図３３に示されたように、図３３は、ユーザが生成しようとする領域６００の位置及びサイズに対応する特定線（例えば、対角線、横線、縦線）を引いて領域６００を生成する場合を示し、特にユーザが特定線をドラッグすれば、ドラッグされた領域を認識（例えば、描かれた線の両方の終点を基準として仮想の四角枠を連結して認識する方式など）し、整形化された領域６００が具現される場合の例示を示す。例えば、図３３の場合、対角線のドラッグ領域を認識し、そのサイズに対応する整形化された四角形の領域６００を生成し、ページ内に表示することができる。この際、対角線の傾きによって四角形の形態（横矩形、縦矩形、正四角）が変わることができる。
【０１４５】
図３４に示されたように、図３４は、ユーザが生成しようとする領域６００の位置及びサイズに対応する２つのポイント（マルチタッチ基盤）を選択して領域６００を生成する場合を示し、特にユーザが２つのポイントを選択（タップ、タッチ）すれば、選択された領域を認識（例えば、選択されたポイントを基準として仮想の四角枠を連結して認識する方式など）し、整形化された領域６００が具現される場合の例示を示す。例えば、図３４の場合、ユーザがマルチタッチした地点を認識し、そのサイズに対応する整形化された四角形の領域６００を生成してページ内に表示することができる。この際、マルチタッチの地点がずれる程度（例えば、マルチタッチの地点の連結時に描かれる対角線の勾配など）によって四角形の形態（横矩形、縦矩形、正四角）が変わることができる。
【０１４６】
一方、本発明の多様な実施例でページ内に領域６００を生成するためのユーザ入力（ドローイング）によって描かれる図形の認識は、多様な図形認識アルゴリズムで具現することができる。そして、本発明の多様な実施例で図３０〜図３３の例示で説明したような領域６００を生成するためのユーザ入力（ジェスチャー、領域生成イベント）は、タッチスクリーン１３０でユーザ入力を認識することができる多様な方法によって具現することができる。例えば、ユーザ指またはタッチペンの接触によって入力することができ、タッチペンを利用する場合、ホバリングによって入力することもできる。
【０１４７】
図３５は、本発明の実施例による電子装置１００でページの一部領域を利用したデータ処理方法を示す流れ図である。
【０１４８】
図３５を参照すれば、動作３５０１で、制御部１８０（例えば、ページ表示モジュール１８４）は、ユーザ入力を受け入れるためのページ表示を制御することができる。例えば、制御部１８０（例えば、ページ表示モジュール１８４）は、ユーザから要請されるアプリケーションを実行し、それによるページ画面表示を制御することができる。本発明の多様な実施例で前記ページは、ユーザ入力を受け入れることができ、ユーザ入力に対応する各種データを表示することができる。本発明の多様な実施例で前記アプリケーションは、オフィス、メモ、電子メール、メッセージ、旅行記録などの機能のように編集可能なページを通じて多様な形式の文書（テキスト及びイメージ基盤）を作成することができるすべての形態のアプリケーションを含むことができる。
【０１４９】
動作３５０３で、制御部１８０は、ユーザ入力を感知することができる。例えば、制御部１８０は、前記ページが表示された状態で前記ページ内に領域６００を生成するユーザ入力に対応する信号を感知することができる。本発明の多様な実施例で前記ユーザ入力に対応する信号は、少なくとも１つのユーザジェスチャーを含むことができる。
【０１５０】
動作３５０５で、制御部１８０（例えば、領域表示モジュール１８６）は、前記ユーザ入力に対応する領域６００の表示を制御することができる。例えば、制御部１８０（例えば、領域表示モジュール１８６）は、前記ユーザ入力に対応する信号感知に応答して、前記ユーザ入力による位置及びサイズを有する領域６００を前記ページの一定領域に生成して表示することができる。本発明の多様な実施例で前記領域６００を表示する動作は、少なくとも１つのユーザジェスチャーによって決定された領域を特定（ｓｐｅｃｉｆｉｅｄ）形態で自動調整して表示することができる。また、本発明の多様な実施例で前記領域６００を表示する動作は、前記信号感知に応答して前記領域６００に表示するデータを獲得する動作を含むことができる。本発明の多様な実施例で前記データは、前述したように内部データまたは外部データを含むことができる。すなわち、前記データは、電子装置１００に機能的に連結されているメモリに格納されているすべてのデータを含むことができる。例えば、前記データは、内部のメモリに格納されたデータを含むことができ、ネットワーク４００を通じて連結された外部のメモリから電子装置１００で受信するデータを含むことができる。
【０１５１】
動作３５０７で、制御部１８０（例えば、データ表示モジュール１８８）は、ページに前記領域６００表示に対応して前記領域６００内にデータ表示を制御することができる。例えば、制御部１８０（例えば、データ表示モジュール１８８）は、前記信号感知に応答して前記領域６００に表示するデータを獲得し、前述した動作例示のように獲得されたデータを前記領域６００に表示することができる。
【０１５２】
一方、図３５では示していないが、制御部１８０（例えば、データ表示モジュール１８８）は、ページの領域６００内にデータが表示された状態で少なくとも１つのユーザ入力に反応して前記領域６００内に表示されたデータを制御することができる。この際、制御部１８０は、前記領域６００のデータを制御するとき、前記ページに対するユーザ入力を区分し、少なくとも一部の入力を制限することができる。また、制御部１８０は、前記領域６００のデータを制御する機能に対応する少なくとも１つのメニュー（例えば、オプション選択メニュー）を領域６００内のまたはページの一定領域内に表示することもできる。
【０１５３】
また、本発明の多様な実施例で前記データを表示する動作は、ユーザ入力に対応して前記ページにデータ（例えば、オブジェクト）を表示する動作を含むことができる。また、前記データを表示する動作は、少なくとも１つのユーザ入力によって前記領域６００のサイズまたは位置のうち少なくとも１つを変更する動作を含むことができる。また、前記データを表示する動作は、前記領域６００の少なくとも一部に多数個のスタイラス（ｓｔｙｌｕｓ）のうち選択された少なくとも１つのスタイラスまたはユーザ入力によるスタイラスのうち少なくとも１つを適用する動作を含むことができる。
【０１５４】
また、本発明の多様な実施例で前記領域６００は、ユーザ入力に対応して複数個の領域に分割することができる。前記領域６００を表示する動作は、前記領域６００を少なくとも第１副領域と第２副領域を含む多数個の副領域に表示する動作を含むことができる。また、前記データは、前記領域６００を構成する副領域に対応して少なくとも第１データと第２データを含む多数個のデータで構成することができ、前記データを表示する動作は、前記第１データを前記第１副領域に表示し、前記第２データを前記第２副領域に表示する動作を含むことができる。
【０１５５】
また、本発明の多様な実施例で前記第１データを前記電子装置１００と機能的に連結されたカメラモジュール１７０の第１イメージセンサー（例えば、後面カメラモジュール）またはカメラモジュール１７０の第２イメージセンサー（例えば、前面カメラモジュール）のうち一番目のイメージセンサーから受信し、前記第２データを前記電子装置１００と連結された第１イメージセンサーまたは第２イメージセンサーのうち二番目のイメージセンサーから受信する動作を含むことができる。
【０１５６】
また、本発明の多様な実施例で前記領域６００は、多数個の副領域を含んでなり、前記多数個の副領域のうち１つの副領域を選択するとき、前記１つの副領域に表示されるデータを格納する動作を含むことができる。
【０１５７】
図３６は、本発明の実施例による電子装置１００でページ内に領域６００を生成する方法を示す流れ図である。
【０１５８】
図３６を参照すれば、動作２２０１で、制御部１８０（例えば、データ表示モジュール１８８）は、アプリケーションを実行し、それに関連した動作を行う中に、アイテム領域２１０で挿入アイテム２１３の選択を感知することができる。例えば、ユーザは、アプリケーション実行によって提供されるオブジェクト入力モードで文書作成中に当該ページ内にデータの挿入のために前記アイテム領域２１０のオプションアイテムのうち前記挿入アイテム２１３を選択することができる。
【０１５９】
動作２２０３で、制御部１８０（例えば、データ表示モジュール１８８）は、前記挿入アイテム２１３の選択を感知するとき、前記オブジェクト入力モードからデータ挿入モードに切り替わるように制御することができる。例えば、制御部１８０（例えば、データ表示モジュール１８８）は、ページ２００にオブジェクトを入力するオブジェクト入力モードでデータ挿入のためのデータ挿入モードに切り替えた後、領域６００生成のためのユーザ入力を待機することができる。
【０１６０】
動作２２０５で、制御部１８０（例えば、領域表示モジュール１８６）は、データ挿入モードに切り替えた後、ユーザから領域６００を生成するジェスチャーが入力されれば、動作２２０７で、制御部１８０は、前記ジェスチャーに対応する領域６００を認識することができる。そして、動作２２０９で、制御部１８０は、前記ジェスチャーによる領域６００を生成し、当該ページ内に表示されるように制御することができる。
【０１６１】
例えば、ユーザは、ページ内で内部または外部データを挿入する位置及びそのサイズを決定した後、当該位置及びサイズに対応するようにドローイングを試みて、領域６００を指定するジェスチャーを入力することができる。それから、制御部１８０（例えば、領域表示モジュール１８６）は、前述したような動作例示のように、ユーザのジェスチャーによってドローイングされた領域を認識し、前記ドローイングされた領域に対応する領域６００を生成して表示することができる。本発明の多様な実施例で前記領域６００を表示する動作は、前記ドローイングされた領域に対応して非整形化された領域６００または整形化された領域６００で生成して表示することができ、これは、ユーザ設定によって運用することもできる。この際、制御部１８０（例えば、データ表示モジュール１８８）は、前記データ挿入モードに切り替えるときまたは前記ジェスチャーが入力される時点でカメラモジュール１７０をバックグラウンドで自動駆動することができる。そして、前記ジェスチャーによって認識された領域６００を生成するとき、前記カメラモジュール１７０を通じて獲得する被写体のデータ（プレビューイメージ）を生成された領域６００を通じてプレビューで表示することもできる。
【０１６２】
図３７は、本発明の実施例による電子装置１００でページ内にデータを挿入する方法を示す流れ図である。
【０１６３】
図３７を参照すれば、動作２１０１で、制御部１８０（例えば、ページ表示モジュール１８４）は、アプリケーションを実行し、それに関連した動作実行を制御することができる。例えば、制御部１８０（例えば、ページ表示モジュール１８４）は、ユーザから要請されるアプリケーションを実行し、それによるページ画面表示を制御することができる。制御部１８０は、前記アプリケーションを実行するとき、オブジェクト入力モードを提供し、前記オブジェクト入力モードでユーザからのタッチイベントを待機することができる。
【０１６４】
本発明の多様な実施例で前記タッチイベントは、オブジェクト（キーパッド基盤のテキスト、筆記基盤のテキスト、図形など）をページ２００に書き込み（ｗｒｉｔｅ）するための入力や、アイテム領域２１０に提供されたオプションアイテムのうちいずれか１つの編集アイテム２１１を選択する入力や、アイテム領域２１０に提供されたデータ挿入のための挿入アイテム２１３を選択する入力や、作成された文書の外部共有（伝送）のための共有アイテム２１５を選択する入力などを含むことができる。前記アプリケーションは、オフィス、メモ、電子メール、メッセージ、旅行記録などの機能のように編集可能なページを通じて文書（テキスト及びイメージ基盤）を作成することができるすべての形態のアプリケーションを含むことができる。
【０１６５】
動作２１０３で、制御部１８０（例えば、領域表示モジュール１８６）は、アプリケーションのオブジェクト入力モードによる動作実行中に領域６００を生成する領域生成イベントを感知することができる。例えば、ユーザは、前記オブジェクト入力モードで前記ページ２００で特定データを挿入する位置及びそのサイズを決定することができる。そして、ユーザは、決定された当該位置及びサイズに対応するように前記ページ上でドローイングを試みて、領域６００を指定するジェスチャーを入力することができる。この際、ユーザは、前記ジェスチャーを入力する前に、前記挿入アイテム２１３を選択してオブジェクト入力モードからデータ挿入モードに切り替える動作を先行することもできる。
【０１６６】
動作２１０５で、制御部１８０（例えば、領域表示モジュール１８６）は、前記領域生成イベントに対応して領域６００をページ２００（例えば、作成中の文書）内に生成し、前記ページ２００内で前記領域６００の表示を制御することができる。本発明の多様な実施例で前記領域６００を表示する動作は、前記領域６００に表示するデータを獲得する動作を含むことができる。本発明の多様な実施例で前記データは、前述したように、内部データまたは外部データを含むことができる。前記データは、電子装置１００に機能的に連結されているメモリに格納されているすべてのデータを含むことができる。
【０１６７】
例えば、前記データは、内部のメモリに格納されたデータを含むことができ、ネットワーク４００を通じて連結された外部のメモリから電子装置１００で受信するデータを含むことができる。また、本発明の多様な実施例でデータをカメラモジュール１７０を通じて獲得する方式の場合、制御部１８０は、前記領域生成イベントに応答して領域６００を生成するとき、カメラモジュール１７０をバックグラウンドで自動駆動し、前記カメラモジュール１７０を通じて被写体のデータ（プレビューイメージ）を獲得する動作をさらに行うこともできる。
【０１６８】
動作２１０７で、制御部１８０（例えば、データ表示モジュール１８８）は、前記領域６００を表示する動作で獲得する内部データまたは外部データを前記ページ２００内に生成された領域６００を通じてプレビューで表示することができる。例えば、制御部１８０（例えば、データ表示モジュール１８８）は、文書作成中の当該ページ２００でユーザのジェスチャーに対応する位置及びサイズに対応するように生成された領域６００を通じて特定データが表示されるように制御することができる。
【０１６９】
また、制御部１８０（例えば、データ表示モジュール１８８）は、ページの領域６００内にデータが表示された状態で少なくとも１つのユーザ入力に反応して前記領域６００内に表示されたデータを制御することもできる。この際、制御部１８０は、前記領域６００のデータを制御するとき、前記ページに対するユーザ入力を区分して少なくとも一部の入力を制限することができる。また、制御部１８０は、領域６００内にデータが表示された状態で前記領域６００のデータを制御する機能に対応する少なくとも１つのメニュー（例えば、オプション選択メニュー）を領域６００内またはページの一定領域内に表示することもできる。
【０１７０】
また、制御部１８０（例えば、領域表示モジュール１８６）は、領域６００内にデータが表示された状態で少なくとも１つのユーザ入力によって前記領域６００のサイズまたは位置のうちで少なくとも１つを変更することができる。また、制御部１８０は、領域６００内にデータが表示された状態で前記領域６００の少なくとも一部に多数個のスタイラスのうち選択された少なくとも１つのスタイラスまたはユーザ入力によるスタイラスのうち少なくとも１つを適用することができる。
【０１７１】
また、制御部１８０（例えば、領域表示モジュール１８６）は、領域６００内にデータが表示された状態でユーザ入力に対応して前記領域６００を複数個の副領域に分割して表示することもできる。前記領域６００にデータを表示する動作は、前記領域６００を少なくとも第１副領域と第２副領域を含む多数個の副領域に表示する動作を含むことができる。また、前記データは、前記領域６００を構成する副領域に対応して少なくとも第１データと第２データを含む多数個のデータで構成することができ、前記領域６００にデータを表示する動作は、前記第１データを前記第１副領域に表示し、前記第２データを前記第２副領域に表示する動作を含むことができる。
【０１７２】
動作２１０９で、制御部１８０（例えば、データ表示モジュール１８８）は、前記領域６００にデータが表示されている状態で挿入イベントを感知することができる。例えば、ユーザは、前記データ挿入モードで前記領域６００のデータをページ２００内に挿入するための挿入データに変換して挿入を命令する挿入イベントを入力することができる。前記挿入イベントは、前記領域６００内でタッチ基盤のタッチイベント（例えば、タップ）で入力されるか、またはユーザ入力部１２０を利用して入力することができる。
【０１７３】
動作２１１１で、制御部１８０（例えば、データ表示モジュール１８８）は、前記挿入イベントに対応して挿入データを生成し、動作２１１３で、制御部１８０（例えば、データ表示モジュール１８８）は、前記生成された挿入データを作成中の文書の当該ページ２００内に挿入して表示することができる。例えば、制御部１８０（例えば、データ表示モジュール１８８）は、前記領域６００のサイズを有する挿入データを生成し、生成された挿入データを前記領域６００がページ２００内で位置した当該位置に挿入されて表示されるように制御することができる。そして、制御部１８０（例えば、ページ表示モジュール１８４）は、前記挿入データをページ２００内に挿入するとき、あらかじめ設定された方式に従ってデータ挿入モードからオブジェクト入力モードに自動切り替えするか、またはデータ入力モードを維持して次領域６００生成のためのユーザ入力を待機することができる。
【０１７４】
動作２１１５で、制御部１８０は、前記挿入データが当該ページ２００内に挿入された状態でユーザ要請に対応する当該動作実行を制御することができる。例えば、制御部１８０は、前記ページ２００内にデータが挿入された状態で、ユーザ入力に応答して前記挿入されたデータ上に追加データ（例えば、オブジェクト）を入力するか、または領域生成イベントによって新しい領域６００の生成及び追加データを挿入するか、またはユーザ要請に応答して当該ページで作成された文書を格納及び終了するか、またはユーザ要請に応答して当該ページで作成された文書を外部に伝送（または共有）するなどの動作実行を制御することができる。
【０１７５】
図３８は、本発明の実施例による電子装置１００でページ内の領域６００を利用したデータ処理方法を示す流れ図である。
【０１７６】
図３８を参照すれば、動作２９０１で、制御部１８０（例えば、ページ表示モジュール１８４）は、アプリケーションを実行し、それに関連した動作実行を制御することができる。例えば、制御部１８０（例えば、ページ表示モジュール１８４）は、ユーザから要請されるアプリケーションを実行し、前記アプリケーションに対応するページ画面表示を制御することができる。
【０１７７】
動作２９０３で、制御部１８０（例えば、領域表示モジュール１８６）は、領域６００を生成する領域生成イベントを感知することができる。例えば、ユーザは、前記ページで特定データを挿入する位置及びそのサイズを決定することができ、決定された当該位置及びサイズに対応するように前記ページ上でドローイングを試みて領域６００を指定するジェスチャーを入力することができる。
【０１７８】
動作２９０５で、制御部１８０（例えば、領域表示モジュール１８６）は、前記領域生成イベントに対応して領域６００をページ内に生成し、前記ページ内で前記領域６００の表示を制御することができる。
【０１７９】
動作２９０７で、制御部１８０（例えば、領域表示モジュール１８６）は、前記領域６００を表示する動作でデータ獲得方式を決定することができる。本発明の多様な実施例で前記領域６００を表示する動作は、前記領域６００に表示するデータを獲得する動作を含むことができ、前記データは、内部データまたは外部データを含むことができる。
【０１８０】
動作２９０９で、制御部１８０（例えば、データ表示モジュール１８８）は、決定されたデータ獲得方式に対応して内部データまたは外部データを獲得することができる。例えば、制御部１８０（例えば、データ表示モジュール１８８）は、データ獲得方式に従って電子装置１００に機能的に連結されているメモリに格納されているデータを獲得することができる。例えば、制御部１８０は、内部のメモリに格納されたデータを獲得するか、ネットワーク４００を通じて連結された外部のメモリから電子装置１００でデータを獲得することができる。または制御部１８０は、カメラモジュール１７０をバックグラウンドで自動駆動し、前記カメラモジュール１７０を通じて被写体のデータ（プレビューイメージ）を獲得することができる。
【０１８１】
動作２９１１で、制御部１８０（例えば、データ表示モジュール１８８）は、前記領域６００を表示する動作で獲得する内部データまたは外部データを前記ページ内に生成された領域６００を通じてプレビューで表示することができる。例えば、制御部１８０は、文書作成中の当該ページでユーザのジェスチャーに対応する位置及びサイズに対応するように生成された領域６００を通じて特定データが表示されるように制御することができる。
【０１８２】
動作２９１３で、制御部１８０（例えば、データ表示モジュール１８８）は、前記領域６００に表示中のデータに対するスクロールイベント入力があるか否かを判別することができる。
【０１８３】
動作２９１３で、スクロールイベントが入力されれば、動作２９１５で、制御部１８０（例えば、データ表示モジュール１８８）は、前記スクロールイベントに反応して前記領域６００内でデータのスクロール及びそれによる表示を制御することができる。動作２９１３で、スクロールイベントが入力されなければ、動作２９１７で、制御部１８０（例えば、データ表示モジュール１８８）は、挿入イベント入力があるか否かを判別することができる。
【０１８４】
動作２９１７で、挿入イベントが入力されなければ、動作２９１９で、制御部１８０は、当該動作実行を制御することができる。例えば、制御部１８０（例えば、データ表示モジュール１８８）は、ユーザ入力に対応して当該ページ内にオブジェクトを入力するか、データ獲得方式を変更するなどの動作実行を制御することができる。
【０１８５】
動作２９１７で、挿入イベントが入力されれば、動作２９２１で、制御部１８０（例えば、データ表示モジュール１８８）は、挿入データを生成することができる。例えば、制御部１８０は、領域６００にデータが表示されている状態で挿入イベントを感知することができ、前記挿入イベントに反応して前記領域６００に表示中のデータをページ内に挿入するための挿入データで生成することができる。
【０１８６】
動作２９２３で、制御部１８０（例えば、データ表示モジュール１８８）は、前記生成された挿入データを作成中の文書の当該ページ内に挿入して表示することができる。例えば、制御部１８０は、前記領域６００のサイズを有する挿入データを生成し、生成された挿入データを前記領域６００が当該ページ内で位置した当該領域（位置）に挿入されて表示されるように制御することができる。
【０１８７】
動作２９２５で、制御部１８０は、当該動作実行を制御することができる。例えば、制御部１８０は、挿入データを当該ページ内に挿入するとき、データ挿入モードからオブジェクト入力モードに切り替えるか、ユーザ入力に対応して追加的な領域６００を生成して表示するか、またはユーザ入力に対応してページにオブジェクトを入力して表示することができる。
【０１８８】
図３９及び図４０は、本発明の実施例による電子装置１００でデータを獲得して領域６００に表示する方法を示す流れ図である。
【０１８９】
図３９及び図４０を参照すれば、動作３００１で、制御部１８０（例えば、領域表示モジュール１８６）は、データ獲得方式を確認することができる。例えば、制御部１８０は、ページ内に領域６００を表示する動作であらかじめ定義されたデータ獲得方式を確認することができる。
【０１９０】
動作３００３で、制御部１８０（例えば、領域表示モジュール１８６）は、前記データ獲得方式が内部データ獲得である否かを判断することができる。動作３００３で、内部データ獲得方式なら、動作３００５で、制御部１８０（例えば、領域表示モジュール１８６）は、内部データを検索語基盤で獲得する検索基盤のデータ獲得方式であるか否かを判別することができる。
【０１９１】
動作３００５で、検索基盤のデータ獲得方式ではなければ、動作３０１３で、制御部１８０（例えば、データ表示モジュール１８８）は、すべての内部データを獲得し、動作３０１５で、制御部１８０は、獲得された内部データをページ内の前記領域６００にプレビューで表示されるように制御することができる。
【０１９２】
動作３００５で、検索基盤のデータ獲得方式なら、動作３００７で、制御部１８０（例えば、データ表示モジュール１８８）は、検索語を抽出することができる。例えば、制御部１０は、ページ内のオブジェクトを分析して検索語を抽出することができる。
【０１９３】
動作３００９で、制御部１８０（例えば、データ表示モジュール１８８）は、ページ内に検索語が存在するか否かを判別することができる。動作３００９で、ページ内に検索語が存在しなければ、動作３０１３で、制御部１８０（例えば、データ表示モジュール１８８）は、すべての内部データを獲得し、動作３０１５で、制御部１８０は、獲得された内部データをページ内の前記領域６００にプレビューで表示されるように制御することができる。
【０１９４】
動作３００９で、ページ内に検索語が存在すれば、動作３０１１で、制御部１８０（例えば、データ表示モジュール１８８）は、抽出された検索語に対応する内部データを抽出して獲得することができる。ここで、制御部１８０は、ページ内の抽出されたオブジェクト基盤の検索語を基盤で検索を行うべきか（例えば、抽出された検索語が正しいか）をユーザに確認することができる。そして、制御部１８０は、ユーザから前記検索語基盤の検索が要請されるとき、当該検索語を基盤で内部データを抽出することができる。一実施例によれば、制御部１８０は、前記検索語により検索を要請するユーザ入力が受信されれば、当該検索語に対応する内部データを検索して獲得することができる。動作３０１５で、制御部１８０は、検索された内部データをページ内の前記領域６００にプレビューで表示されるように制御することができる。
【０１９５】
動作３００３で、内部データ獲得方式ではなければ、すなわち外部データ獲得方式なら、動作３０２１で、制御部１８０は、検索語を抽出することができる。例えば、制御部１８０はページ内のオブジェクトを分析して検索語を抽出することができる。
【０１９６】
動作３０２３で、制御部１８０（例えば、データ表示モジュール１８８）は、ページ内に検索語が存在するか否かを判別することができる。動作３０２３で、ページ内に検索語が存在すれば、動作３０２５で、制御部１８０は、抽出された当該検索語が正しいかをユーザに確認する検索語確認要請をポップアップ（ｐｏｐ−ｕｐ）を通じて表示することができる。前記ポップアップは、抽出された検索語と当該検索語による検索を行うべきかを確認するポップアップであることが可能である。
【０１９７】
動作３０２３で、ページ内に検索語が存在しなければ、動作３０２７で、制御部１８０は、検索ウィンドウ表示を制御することができる。例えば、制御部１８０は、獲得しようとする外部データに対する検索語入力を要請する検索ウィンドウをページ内に表示し、ユーザ入力を待機することができる。動作３０２９で、制御部１８０は、前記検索ウィンドウを通じてユーザの検索語を入力することができる。
【０１９８】
動作３０３１で、制御部１８０は、前記動作３０２５または前記３０２９に対応する検索語による検索を要請するユーザ入力を受信することができる。
【０１９９】
動作３０３３で、制御部１８０は、ユーザの検索要請に応答して当該通信連結を制御することができる。例えば、制御部１８０は、外部データ獲得のための対象（例えば、外部サーバー）によって当該対象に連結することができる通信モジュールを活性化し、ネットワーク４００を通じて当該対象と連結を行うことができる。
【０２００】
動作３０３５で、制御部１８０は、通信連結された当該対象（例えば、外部サーバー）にユーザによって確認された検索語に対応する外部データを要請することができる。動作３０３７で、制御部１８０は、ネットワーク４００を通じて当該対象から外部データを受信することができる。動作３０１５で、制御部１８０は、受信された外部データをページ内の前記領域６００にプレビューで表示されるように制御することができる。
【０２０１】
図４１〜図４５は、本発明の実施例による電子装置１００から領域６００を分割して動作する例示を示す図である。
【０２０２】
図４１を参照すれば、図４１は、ページ内に領域６００が活性化された状態で前記領域６００を第１副領域６１０と第２副領域６３０のように分割する場合の画面例示を示すものである。例えば、ユーザは、アプリケーションを実行し、前記アプリケーションでジェスチャーを利用して領域６００を生成することができる。そして、本発明の実施例よって前記領域６００が生成されるとき、前記領域６００に電子装置１００に機能的に連結されている内部または外部のメモリから獲得される内部データまたは外部データが表示することができる。
【０２０３】
そして、ユーザは、前記領域６００を少なくとも２個の副領域に区分するためのジェスチャー（分割イベント）を入力することができる。前記分割イベントは、領域６００を横方向、縦方向、または対角方向などに分割するもののようなジェスチャーを含むことができ、領域６００内のデータのオプション（またはスタイラス）調節のための入力と区分することができる。図４１の実施例では、ユーザが領域６００を縦方向に分割する分割イベントを入力する場合の例示を示す。
【０２０４】
図４１のように、領域６００を２個の副領域に分割して運用する動作例示が図４２〜図４４に示されている。
【０２０５】
図４２〜図４４を参照すれば、図４２は、ユーザがアプリケーションを実行し、前記アプリケーションを利用した作成中の文書の当該ページ内に領域６００を活性化した状態の画面例示を示す。そして、図４２の実施例では、図４１で説明したように、ユーザの分割イベントによって２個の副領域６１０、６３０が左右に分割された状態を仮定することができる。この際、図４２の実施例では、ユーザの直観性を考慮して領域６００が分割されていることを指示する分割線（ｓｐｌｉｔ  ｌｉｎｅ）６９０が表示されるものと示したが、前記分割線６９０は、ユーザ設定によって表示されてもよく、または表示されなくてもよい。前記分割線６９０は、領域６００を通じて表示されるデータの視野を遮られることなく、ユーザの直観性を満たす属性（例えば、色（例えば、レッド、ブルー、イエローなど）、濃度及び図形（例えば、点線、実線など））によって表示することができる。そして、図４２に示されたように、ユーザが画面を分割しても、領域６００には、１つのデータがプレビューで表示することができる。
【０２０６】
ユーザは、図４２のように２個の領域に分割された領域６００でいずれか一領域（例えば、第１副領域６１０）を選択（例えば、タップ）し、当該第１副領域６１０にデータ（現在領域６００（例えば、ウィンドウ）を通じて表示中のデータ、以下、第１データという）を格納する挿入イベントを入力することができる。それから、電子装置１００は、ユーザの挿入イベントに応答して第１データを格納した後、前記領域６００の第１副領域６１０に表示することができる。この際、領域６００の第２副領域６３０の場合、データを続いてプレビューで表示する状態であることが可能である。このような画面例示が図４３に示されている。
【０２０７】
図４３は、図４２のような状態でユーザが第１副領域６１０を通じて挿入イベントを入力したときの電子装置１００の画面例示を示すものである。図４２に示した電子装置１００の画面は、ユーザの分割された副領域を利用した挿入イベント入力によって図４３のように切り替わることができる。この際、図４３の例示は、第１データがページ内に挿入されない動作に該当するので、図４３の状態は、領域６００の活性化状態、例えば、データ挿入モードで動作する状態であることが可能である。
【０２０８】
図４３に示されたように、第１副領域６１０は、挿入要請された第１データが表示することができ、第２副領域６３０は、獲得されるデータ、例えば、現在領域６００を通じて表示中のデータ（以下、第２データという）がプレビューで表示することができる。そして、図４３のような状態で領域６００の第１副領域６１０の第１データに対するユーザ入力を制限することができ、第２副領域６３０に表示された第２データに対するユーザ入力に反応して第２データを制御（例えば、スクロール、オプション調節など）することができる。
【０２０９】
図４３のような状態で、ユーザは、前述したような方式で領域６００で残りの他の副領域である前記第２副領域６３０にプレビューで表示されている第２データを格納する挿入イベントを入力することができる。それから、電子装置１００は、ユーザの挿入イベントに応答して第２データを格納した後、前記領域６００の第２副領域６３０に表示することができる。この際、電子装置１００は、図４３の例示のように、領域６００で分割されたすべての副領域に対応するデータに対する格納が行われるとき、分割された副領域別に一時データ（例えば、第１データ、第２データ）を最終挿入データとして生成し、当該ページ内に自動挿入することができる。このような画面例示が図４４に示されている。
【０２１０】
図４４は、図４３のような状態でユーザが第２副領域６３０を通じて挿入イベントを入力したときの電子装置１００の画面例示を示すものである。例えば、図４３に示した電子装置１００の画面は、分割されたすべての副領域に対する挿入イベント入力によって図４４のように切り替わることができる。この際、図４４の例示は、挿入データが当該ページ内に挿入された動作に該当するので、図４４の状態は、領域６００の非活性化状態、例えば、オブジェクト入力モードで動作する状態であることが可能である。
【０２１１】
一方、図４１〜図４４では、領域６００が左右対称の２個の副領域６１０、６３０に分割される場合を例示で示したが、本発明の多様な実施例がこれに限定されるものではない。例えば、本発明の多様な実施例によれば、図４５に示すように、非対称の３個の領域（例えば、第１副領域４５１０、第２副領域４５２０、第３副領域４５３０）に分割することもできる。本発明の多様な実施例では、領域６００の分割領域の数を制限せず、分割するレイアウトにおいても特定フレームに固定されない。但し、電子装置１００の画面サイズに比例して、ユーザの視認性（ｖｉｓｉｂｉｌｉｔｙ）を満足することができる程度の制限を設定することもできる。
【０２１２】
以上、図４１〜図４５を参照した例示で説明したように、本発明の実施例によれば、ユーザは、領域６００を構成しようとする多様なレイアウトによって少なくとも２個の副領域に分割し、互いに異なるデータを１つのデータとして結合し、ページ内に挿入することができる。また、本発明の実施例によれば、このような動作によって分割された領域を通じて分割撮影を行うこともできる。ユーザは、分割撮影のために分割された領域６００のレイアウトに対応する複数個の他のプレビューイメージを１つの挿入データで生成することもできる。電子装置１００は、領域６００を利用した分割撮影を支援するためのイメージ処理機能を支援することができる。
【０２１３】
以上のように、本発明の多様な実施例によれば、前記領域６００は、ユーザ入力に対応して複数個の領域に分割することができる。本発明では前記領域６００を少なくとも第１副領域と第２副領域を含む多数個の副領域に分割する動作を含むことができる。そして、領域６００を分割する動作に対応して前記データは、前記領域６００を構成する副領域に対応して少なくとも第１データと第２データを含む多数個のデータで構成することができる。領域６００を分割する場合、領域６００の各副領域に表示されるデータは、互いに異なるデータで構成することができ、ページ内に挿入動作で互いに異なる各データが１つのデータとして結合され、当該ページに挿入することができる。
【０２１４】
例えば、領域６００は、第１副領域６１０及び第２副領域６３０のように２個に分割された場合、第１データを前記第１副領域６１０に表示することができ、第２データを前記第２副領域６３０に表示することができる。また、領域６００が第１副領域４５１０、第２副領域４５２０、第３副領域４５３０のように３個に分割された場合、第１データを前記第１副領域４５１０に表示することができ、第２データを前記第２副領域４５２０に表示することができ、第３データを前記第３副領域４５３０に表示することができる。
【０２１５】
本発明の多様な実施例で分割された副領域の数に対応するように獲得可能な各データは、ユーザ選択によって同一のデータであるか、互いに異なるデータよりなることができる。これを下記表１を参照して説明する。
【０２１６】
【表１】
2014170551.tif 000003
【０２１７】
表１の例示では、領域６００が３個の副領域に区分され、３個の副領域に対応して３個のデータが格納される場合の例示を示す。表１の例示のように、第１データ乃至第３データそれぞれはユーザ入力に対応する第１副領域ないし第３副領域それぞれに割り当てられて表示することができる。この際、第１データ乃至第３データは、同一のデータで構成することができ、または第１データ乃至第３データは、互いに異なるデータで構成することもできる。
【０２１８】
例えば、第１データ乃至第３データは、領域６００を通じて表示された同一のデータに対してユーザが挿入イベントを発生することによって同一のデータで構成することができ、分割される副領域の形態によって同一のデータが異なるように表示することができる。または、第１データ乃至第３データは、領域６００を通じて内部データ内で互いに異なるデータに対するユーザ挿入イベントによって異なるデータで構成することができ、または内部データ、外部データ及び撮影データのように、それぞれ異なるメモリから獲得される互いに異なるデータに該当することができる。このように、領域６００を多数個の副領域に分割して動作するとき、多様なデータ組合によって挿入データを生成することができる。
【０２１９】
例えば、本発明の多様な実施例で前記第１データを前記電子装置１００と機能的に連結されたカメラモジュール１７０の第１イメージセンサー（例えば、後面カメラモジュール）またはカメラモジュール１７０の第２イメージセンサー（例えば、前面カメラモジュール）のうち一番目のイメージセンサーから受信し、前記第２データを前記電子装置１００と連結された第１イメージセンサーまたは第２イメージセンサーのうち二番目のイメージセンサーから受信することができる。そして、第３データをネットワーク４００を通じて連結された外部のメモリから電子装置１００で受信することができる。
【０２２０】
ここで、本発明の多様な実施例で前記領域６００は、多数個の副領域を含んでなり、前記多数個の副領域のうち１つの副領域を選択するとき、前記１つの副領域に表示されるデータを格納する動作を含むことができる。例えば、前記第１副領域を選択するとき、前記第１イメージセンサーから第１データを獲得し、第２副領域を選択するとき、前記第２イメージセンサーから第２データを獲得し、第３副領域を選択するとき、ネットワーク４００を通じて連結された外部のメモリから第３データを獲得することができる。そして、すべての副領域に対応するすべてのデータが獲得されるとき、第１データ乃至第３データを結合し、当該ページ内に１つのデータで挿入することができる。
【０２２１】
図４６は、本発明の実施例による電子装置１００でページ内に複数個のデータが挿入される例示を示す図である。
【０２２２】
図４６を参照すれば、図４６は、前述したように、ユーザがアプリケーションを実行し、アプリケーションで領域６００を利用して多様なデータを当該ページ内に挿入したときの電子装置１００の画面例示を示すものである。
【０２２３】
図４６の動作例示では、ユーザが文書作成中に領域６００の活性化を通じて特定データ２８１０を当該ページ内に挿入した後、さらに領域６００の活性化を通じて他の特定データ２８３０を当該ページ内に追加挿入した状態の動作例示であることが可能である。このように、本発明の多様な実施例によれば、ユーザは、アプリケーションで作成中の文書の当該ページ内に数回のデータを挿入しようとするとき、一層便利で且つ早く挿入することができ、データを挿入するに際して、複雑な手続なしにユーザが所望の位置、サイズ及びレイアウトですぐ挿入することができる。
【０２２４】
図４７〜図４９は、本発明の実施例による電子装置１００で動的イメージ基盤のデータがページ内に挿入された場合の動作例示を示す図である。
【０２２５】
図４７〜図４９を参照すれば、図４７は、電子装置１００のユーザがページ内で領域６００を活性化したときの電子装置１００の画面例示を示すものである。そして、ユーザは、図４７のような状態で領域６００に撮影イベント（特に、図４７の例示では、動的イメージ撮影のための撮影イベントを仮定する。）を入力し、被写体のデータ（プレビューイメージ）基盤の動的イメージを撮影することができる。その後、ユーザが前記動的イメージ撮影を完了する撮影終了イベントを入力することができる。それから、ユーザの撮影完了イベント入力によって図４７に示した電子装置１００の画面は、図４８のように切り替わることができる。
【０２２６】
図４８は、電子装置１００が当該ページ内の領域６００を通じて生成（撮影）された動的イメージ基盤の撮影データを当該ページ内に挿入したときの電子装置１００の画面例示を示すものである。一実施例によれば、図４８は、電子装置１００が領域６００に表示された被写体のデータ（プレビューイメージ）を動的イメージで撮影し、動的イメージ基盤の撮影データを生成し、生成された撮影データを作成中の文書の当該ページ内に挿入したときの電子装置１００の画面例示を示すものである。
【０２２７】
図４８に示されたように、電子装置１００は、動的イメージ基盤の撮影データが挿入されるとき、動的イメージの再生が可能なプレーヤーを当該ページの当該挿入データと連携することができる。そして、電子装置１００は、プレーヤーの再生画面を領域６００の位置及びサイズに対応するように文書内に構成し、前記プレーヤーの再生画面上に動的イメージ再生を指示する指示子３０１０を提供することができる。
【０２２８】
ユーザは、図４８のように、動的イメージ基盤の撮影データが当該ページ内に挿入された状態で前記指示子３０１０を選択することによって、撮影データを当該ページ内で再生して表示することができる。このような画面例示が図４９に示されている。
【０２２９】
図４９は、図４８のような状態でユーザが当該ページに挿入された撮影データの再生命令を入力したときの電子装置１００の画面例示を示すものである。図４８に示した電子装置１００の画面は、ユーザ入力によって図４９のように切り替わり、当該ページ内で撮影データが再生されて表示することができる。ここで、撮影データの再生は、当該ページに挿入されたデータのフォーマットに対応するように連携されたプレーヤーで前記撮影データのリンク（ｌｉｎｋ）によって撮影データを呼び出して再生することができる。例えば、挿入データがビデオフォーマットのデータである場合、動画プレーヤーによって再生することができ、挿入データがオーディオフォーマットのデータである場合、音楽プレーヤーによって再生することができる。
【０２３０】
本発明の多様な実施例によれば、それぞれのモジュールは、ソフトウェア、ファームウエア、ハードウェアまたはその組合で構成することができる。また、一部または全体モジュールは、１つの個体（ｅｎｔｉｔｙ）で構成されるが、各当該モジュールの機能を同一に行われるように構成することができる。
【０２３１】
本発明の多様な実施例によれば、それぞれの動作は、順次的、繰り返し的または並列的に実行することができる。また、一部の動作は省略されるか、他の動作が追加されて実行うことができる。一例によれば、それぞれの動作は、本発明で記述した対応するモジュールによって実行することができる。
【０２３２】
一方、前述したような本発明の多様な実施例は、多様なコンピュータ手段を通じて行うことができるプログラム命令形態で具現され、コンピュータで読み取り可能な記録媒体に記録することができる。前記コンピュータで読み取り可能な記録媒体は、プログラム命令、データファイル、データ構造などを単独でまたは組み合わせて含むことができる。前記記録媒体に記録されるプログラム命令は、本発明のために特別に設計され構成されたものであるか、またはコンピュータソフトウェア当業者に公知されて使用可能なものであってもよい。
【０２３３】
前記コンピュータで読み取り可能な記録媒体には、ハードディスク、フロッピー（登録商標）ディスク及び磁気テープのようなマグネチック媒体（Ｍａｇｎｅｔｉｃ  Ｍｅｄｉａ）と、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）のような光記録媒体（Ｏｐｔｉｃａｌ  Ｍｅｄｉａ）と、フロプティカルディスク（Ｆｌｏｐｔｉｃａｌ  Ｄｉｓｋ）のような磁気−光媒体（Ｍａｇｎｅｔｏ−Ｏｐｔｉｃａｌ  Ｍｅｄｉａ）と、そしてＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどのようなプログラム命令を格納し実行するように特別に構成されたハードウェア装置が含むことができる。また、プログラム命令には、コンパイラーによって作われるもののような機械語コードだけでなく、インタプリターなどを使用してコンピュータによって実行することができる高級言語コードを含むことができる。前述したハードウェア装置は、本発明の動作を行うために１つ以上のソフトウェアモジュールとして作動するように構成することができ、その逆も同様である。
【０２３４】
そして、本明細書と図面に開示された本発明の実施例は、本発明の技術内容を容易に説明し、本発明の理解を助けるために特定例を提示したものに過ぎず、本発明の範囲を限定しようとするものではない。したがって、本発明の範囲は、ここに開示された実施例以外にも本発明の技術的思想に基づいて導出されるすべての変更または変形された形態が本発明の範囲に含まれるものと解釈されなければならない。
【符号の説明】
【０２３５】
１１０  無線通信部
１２０  ユーザ入力部
１３０  タッチスクリーン
１４０  オーディオ処理部
１５０  格納部
１６０  インターフェース部
１７０  カメラモジュール
１８０  制御部
１８２  データ処理モジュール
１８４  ページ表示モジュール
１８６  領域表示モジュール
１８８  データ表示モジュール
１９０  電源供給部
２００  ページ
２１０  アイテム領域
２３０  文書作成領域
２１３  挿入アイテム
６００  領域
６５０  調整アイテム
【図１】
2014170551.tif 000004
【図２】
2014170551.tif 000005
【図３】
2014170551.tif 000006
【図４】
2014170551.tif 000007
【図５】
2014170551.tif 000008
【図６】
2014170551.tif 000009
【図７】
2014170551.tif 000010
【図８】
2014170551.tif 000011
【図９】
2014170551.tif 000012
【図１０】
2014170551.tif 000013
【図１１】
2014170551.tif 000014
【図１２】
2014170551.tif 000015
【図１３】
2014170551.tif 000016
【図１４】
2014170551.tif 000017
【図１５】
2014170551.tif 000018
【図１６】
2014170551.tif 000019
【図１７】
2014170551.tif 000020
【図１８】
2014170551.tif 000021
【図１９】
2014170551.tif 000022
【図２０】
2014170551.tif 000023
【図２１】
2014170551.tif 000024
【図２２】
2014170551.tif 000025
【図２３】
2014170551.tif 000026
【図２４】
2014170551.tif 000027
【図２５】
2014170551.tif 000028
【図２６】
2014170551.tif 000029
【図２７】
2014170551.tif 000030
【図２８】
2014170551.tif 000031
【図２９】
2014170551.tif 000032
【図３０】
2014170551.tif 000033
【図３１】
2014170551.tif 000034
【図３２】
2014170551.tif 000035
【図３３】
2014170551.tif 000036
【図３４】
2014170551.tif 000037
【図３５】
2014170551.tif 000038
【図３６】
2014170551.tif 000039
【図３７】
2014170551.tif 000040
【図３８】
2014170551.tif 000041
【図３９】
2014170551.tif 000042
【図４０】
2014170551.tif 000043
【図４１】
2014170551.tif 000044
【図４２】
2014170551.tif 000045
【図４３】
2014170551.tif 000046
【図４４】
2014170551.tif 000047
【図４５】
2014170551.tif 000048
【図４６】
2014170551.tif 000049
【図４７】
2014170551.tif 000050
【図４８】
2014170551.tif 000051
【図４９】
2014170551.tif 000052